(57)【要約】【課題】外観の品質の低下を抑えることのできる導電性フィルム、タッチパネル、および、表示装置を提供する。【解決手段】透明誘電体層の第１面に位置する複数の電極線は、第１電極方向Ｄ１に延びる屈曲線形状を有する複数のセンシング電極線６３ＳＲを含み、第２電極方向Ｄ２に沿って互いに隣り合うセンシング電極線６３ＳＲにて第２電極方向Ｄ２に並ぶ部分の位相は互いに異なっている。そして、屈曲部６３Ｑから中心線Ｃ１までの第２電極方向Ｄ２に沿った長さである中心長Ｉｓは、第２電極方向Ｄ２にて最も離れた屈曲部６３Ｑの各々から中心線Ｃ１までの第２電極方向Ｄ２に沿った長さである対象長Ｇｓの０．７５倍を超え１倍以下の範囲に含まれ、複数の屈曲部６３Ｑには、中心長Ｉｓが互いに異なる複数の屈曲部６３Ｑが含まれる。【選択図】図５
2018195021.tif 000002
【特許請求の範囲】
【請求項１】
第１面と、前記第１面とは反対側の面である第２面とを有する透明誘電体層と、
前記第１面にて、第１方向に沿って延びるとともに、前記第１方向と交差する第１交差方向に沿って並ぶ複数の第１電極と、
前記第２面にて、前記第１方向と交差する第２方向に沿って延びるとともに、前記第２方向と交差する第２交差方向に沿って並ぶ複数の第２電極と、を備え、
前記第１電極は、前記第１方向に延びる屈曲線形状を有する複数の第１電極線を含み、
前記第１電極線が有する複数の屈曲部は、当該電極線に沿って交互に並ぶ第１屈曲部と第２屈曲部とから構成され、互いに隣り合う前記第１屈曲部間の前記第１方向に沿った長さが屈曲周期であって、前記複数の第１電極線において前記屈曲周期は一定であり、
前記第１電極線における前記屈曲周期内での前記第１方向における位置が位相であり、前記第１交差方向に沿って互いに隣り合う前記第１電極線にて前記第１交差方向に並ぶ部分の前記位相は互いに異なっており、
前記第１電極線における前記複数の屈曲部のなかで前記第１交差方向にて最も離れた屈曲部の各々と、当該屈曲部の各々から等距離に位置して前記第１方向に延びる仮想的な直線である中心線との間の前記第１交差方向に沿った長さが対象長であり、当該第１電極線が含む前記複数の屈曲部について、前記屈曲部から前記中心線までの前記第１交差方向に沿った長さである中心長は、前記対象長の０．７５倍を超え１倍以下の範囲に含まれ、前記複数の屈曲部には、前記中心長が互いに異なる複数の前記屈曲部が含まれる
導電性フィルム。
【請求項２】
前記第１電極線において、前記複数の屈曲部の前記中心長は、前記第１電極線に沿った前記屈曲部の並びの順序に対し不規則に変化している
請求項１に記載の導電性フィルム。
【請求項３】
前記第１交差方向に沿って互いに隣り合う前記第１電極線の前記位相は反転しており、
前記第１電極には、前記第１交差方向に沿って互いに隣り合う２つの前記第１電極線のうち、一方の前記第１電極線が有する前記屈曲部と他方の前記第１電極線が有する前記屈曲部とが接続している箇所が含まれる
請求項１または２に記載の導電性フィルム。
【請求項４】
第１面と、前記第１面とは反対側の面である第２面とを有する透明誘電体層と、
前記第１面にて、第１方向に沿って延びるとともに、前記第１方向と交差する第１交差方向に沿って並ぶ複数の第１電極と、
前記第２面にて、前記第１方向と交差する第２方向に沿って延びるとともに、前記第２方向と交差する第２交差方向に沿って並ぶ複数の第２電極と、を備え、
前記第１電極は、前記第１方向に延びる屈曲線形状を有する複数の第１電極線を含み、
複数の第１仮想屈曲部と複数の第２仮想屈曲部とを有して前記第１方向に所定の周期で屈曲を繰り返す屈曲線形状を有する仮想的な電極線であって、前記第１仮想屈曲部と前記第２仮想屈曲部とが当該電極線に沿って交互に並び、かつ、複数の前記第１仮想屈曲部と複数の前記第２仮想屈曲部とが、前記第１方向に延びる別々の直線上に位置する電極線が第１基準電極線であり、前記第１基準電極線における前記周期内での前記第１方向における位置が位相であって、複数の前記第１基準電極線は、前記第１交差方向に沿って、互いに隣り合う前記第１基準電極線にて前記第１交差方向に並ぶ部分の前記位相が互いに異なるように並び、
複数の前記第１基準電極線の配列間隔の２分の１の長さが基準長であり、
前記第１基準電極線における前記第１仮想屈曲部および前記第２仮想屈曲部の各々から等距離に位置して前記第１方向に延びる仮想的な直線が基準中心線であり、
前記第１電極線は、前記第１基準電極線に対して、前記第１仮想屈曲部および前記第２仮想屈曲部の少なくとも一方である基準屈曲部の位置を、前記第１基準電極線における前記基準屈曲部の並びの順序に対し不規則に変位した屈曲線形状を有し、当該第１電極線が有する複数の屈曲部について、前記屈曲部から前記基準中心線までの前記第１交差方向に沿った長さは、前記基準長の０．７５倍を超え１倍以下の範囲に含まれる
導電性フィルム。
【請求項５】
前記第１基準電極線において前記第１交差方向の一方側で隣り合う２つの前記基準屈曲部間の前記第１方向に沿った長さが基準周期であり、
前記第１方向に延びる底辺を有する二等辺三角形状の仮想的な領域が変位領域であり、前記変位領域は、前記底辺が前記第１交差方向に隣り合う前記第１基準電極線の間の中央に位置するとともに前記基準屈曲部が前記変位領域内に位置し、当該基準屈曲部を通って前記第１交差方向に延びる仮想的な直線が前記二等辺三角形の頂点と前記底辺の中点とを通る位置に配置され、
前記二等辺三角形の高さは、前記配列間隔の０．０５倍以上０．４５倍以下であり、
前記底辺の長さは、前記基準周期の０．１倍以上０．９倍以下であり、
前記第１電極線の前記屈曲部は、前記変位領域内に位置し、複数の前記屈曲部の少なくとも一部は、前記基準屈曲部に対し、前記第１方向および前記第１交差方向の各々に沿って変位した位置に配置されている
請求項４に記載の導電性フィルム。
【請求項６】
前記第１電極には、前記第１交差方向に沿って互いに隣り合う２つの前記第１電極線のうち、一方の前記第１電極線が有する前記屈曲部と他方の前記第１電極線が有する前記屈曲部とが接続している箇所が含まれる
請求項４または５に記載の導電性フィルム。
【請求項７】
前記第２電極は、前記第２方向に延びる屈曲線形状を有する複数の第２電極線を含み、
複数の仮想屈曲部を有して前記第２方向に所定の周期で屈曲を繰り返す屈曲線形状を有する仮想的な電極線が第２基準電極線であり、前記第２基準電極線における前記周期内での前記第２方向における位置が位相であって、複数の前記第２基準電極線は、前記第２交差方向に沿って、互いに隣り合う前記第２基準電極線にて前記第２交差方向に並ぶ部分の前記位相が互いに異なるように並び、
前記第２電極線は、前記第２基準電極線に対して、前記第２基準電極線が有する前記複数の仮想屈曲部の少なくとも一部である基準屈曲部の位置を、前記第２基準電極線における前記基準屈曲部の並びの順序に対し不規則に変位した屈曲線形状を有し、
複数の前記第１基準電極線の配列間隔が第１基準間隔であり、前記第１基準電極線において前記第１交差方向の一方側で隣り合う仮想屈曲部間の前記第１方向に沿った長さが第１基準周期であり、
複数の前記第２基準電極線の配列間隔が第２基準間隔であり、前記第２基準電極線において前記第２交差方向の一方側で隣り合う仮想屈曲部間の前記第２方向に沿った長さが第２基準周期であり、
前記第１基準周期は、前記第２基準間隔の２倍の長さであり、前記第２基準周期は、前記第１基準間隔の２倍の長さである
請求項４〜６のいずれか一項に記載の導電性フィルム。
【請求項８】
前記第１電極線は、前記複数の屈曲部と、前記第１電極線に沿って互いに隣り合う前記屈曲部を結ぶ直線形状を有した複数の短線部とを含む
請求項１〜７のいずれか一項に記載の導電性フィルム。
【請求項９】
請求項１〜８のいずれか一項に記載の導電性フィルムと、
前記導電性フィルムを覆うカバー層と、
前記第１電極と前記第２電極との間の静電容量を測定する周辺回路と、を備える
タッチパネル。
【請求項１０】
格子状に配列された複数の画素を有して情報を表示する表示パネルと、
前記表示パネルの表示する前記情報を透過するタッチパネルと、
前記タッチパネルの駆動を制御する制御部と、を備え、
前記タッチパネルは、請求項９に記載のタッチパネルである
表示装置。
【発明の詳細な説明】
【技術分野】
【０００１】
本発明は、複数の電極線を備える導電性フィルム、この導電性フィルムを備えるタッチパネル、および、このタッチパネルを備える表示装置に関する。
【背景技術】
【０００２】
タッチパネルを入力デバイスとして用いる表示装置は、画像を表示する表示パネルと、表示パネルに重ねられた上記タッチパネルとを備えている。タッチパネルにおける指などの接触位置の検出方式としては、指などがタッチパネルの操作面に接触することを静電容量の変化として検出する静電容量方式が広く用いられている。静電容量方式のタッチパネルにおいて、タッチパネルの備える導電性フィルムは、第１方向に沿って延びる複数の第１電極と、第１方向と直交する第２方向に沿って延びる複数の第２電極と、第１電極と第２電極とに挟まれた透明誘電体層とを備えている。そして、１つの第１電極と複数の第２電極の各々との間における静電容量の変化が第１電極ごとに検出されることに基づき、操作面における指などの接触位置が検出される。
【０００３】
こうした導電性フィルムの一例では、複数の第１電極の各々は、第１方向に沿って延びる複数の第１電極線から構成され、複数の第２電極の各々は、第２方向に沿って延びる複数の第２電極線から構成される。電極線としては、銀や銅などの金属からなる細線が用いられる。電極線の材料として金属が用いられることによって、接触位置の検出に際しての迅速な応答性や高い分解能が得られるとともに、タッチパネルの大型化や製造コストの削減が可能となる。
【０００４】
ところで、可視光を吸収、あるいは、反射する金属から電極線が形成される構成では、タッチパネルの操作面から見て、複数の第１電極線と複数の第２電極線とが、これらの電極線が相互に直交した格子状のパターンを形成している。一方で、タッチパネルが積層される表示パネルでも、第１方向と第２方向とに沿って複数の画素を区画するブラックマトリクスが、格子状のパターンを形成している。
【０００５】
上記構成において、相互に隣り合う第１電極線の間の間隔は、相互に隣り合う画素間の第２方向における間隔とは一般に異なり、また、相互に隣り合う第２電極線の間の間隔も、相互に隣り合う画素間の第１方向における間隔とは異なる。そして、タッチパネルの操作面から見て、第１電極線と第２電極線とから形成される格子状の周期構造と、画素を区画する格子状の周期構造とが重なることによって、２つの周期構造のずれが、モアレ（ｍｏｉｒｅ）を誘起する場合がある。モアレが視認されると、表示装置にて視認される画像の品質の低下が生じる。
【０００６】
こうしたモアレを抑えるための方策の１つとして、電極線の周期構造の周期性を低下させることが提案されている。複数の電極線から構成されたパターンの周期性が低いと、この電極線パターンは周期構造として認識され難くなるため、画素を区画するパターンと電極線パターンとのずれが、２つの周期構造のずれとして認識され難くなる。それゆえ、モアレが視認されることが抑えられる。
【０００７】
例えば、特許文献１に記載のタッチパネルでは、第１電極線と第２電極線との各々が、山部と谷部とが交互に繰り返される折れ線形状を有しており、これらの電極線から構成されるパターンは、矩形とは異なる多角形の繰り返し構造を有する。したがって、こうした電極線パターンの周期性は、矩形が並ぶ格子状の電極線パターンの周期性と比較して低い。
【先行技術文献】
【特許文献】
【０００８】
【特許文献１】国際公開第２０１４／１１５８３１号
【発明の概要】
【発明が解決しようとする課題】
【０００９】
ところで、特許文献１に記載のタッチパネルにおいて、１つの面内に配置された複数の電極線の各々は、折れ線形状を有する１つの電極線が電極線の並ぶ方向に沿って平行移動された形状を有する。例えば、図１８が示すように、第１電極線１０１は、屈曲を繰り返しながら第１方向Ｄａに延びる折れ線形状を有する。詳細には、第１電極線１０１は、互いに異なる方向に直線状に延びる２種類の短線部１１０が第１方向Ｄａに沿って交互に並ぶ形状を有する。そして、第２方向Ｄｂに沿って並ぶ複数の第１電極線１０１の各々は、１つの第１電極線１０１が第２方向Ｄｂに沿って平行移動された形状を有する。こうした構成においては、同一の方向に延びる複数の短線部１１０が第１方向Ｄａの位置を揃えて第２方向Ｄｂに沿って並ぶ帯状領域１１０Ｒが形成される。そして、短線部１１０の延びる方向が互いに異なる２種類の帯状領域１１０Ｒが、第１方向Ｄａに沿って隙間なく交互に並ぶ。その結果、複数の帯状領域１１０Ｒの並びが、帯状のパターンとして視認されやすくなる。この帯状のパターンは、特に、表示装置が画像を表示していない非点灯時に外光の反射によって視認されやすく、こうした帯状のパターンが視認されると、操作面から見た外観の品質が低くなる。
本発明は、外観の品質の低下を抑えることのできる導電性フィルム、タッチパネル、および、表示装置を提供することを目的とする。
【課題を解決するための手段】
【００１０】
上記課題を解決する導電性フィルムは、第１面と、前記第１面とは反対側の面である第２面とを有する透明誘電体層と、前記第１面にて、第１方向に沿って延びるとともに、前記第１方向と交差する第１交差方向に沿って並ぶ複数の第１電極と、前記第２面にて、前記第１方向と交差する第２方向に沿って延びるとともに、前記第２方向と交差する第２交差方向に沿って並ぶ複数の第２電極と、を備え、前記第１電極は、前記第１方向に延びる屈曲線形状を有する複数の第１電極線を含み、前記第１電極線が有する複数の屈曲部は、当該電極線に沿って交互に並ぶ第１屈曲部と第２屈曲部とから構成され、互いに隣り合う前記第１屈曲部間の前記第１方向に沿った長さが屈曲周期であって、前記複数の第１電極線において前記屈曲周期は一定であり、前記第１電極線における前記屈曲周期内での前記第１方向における位置が位相であり、前記第１交差方向に沿って互いに隣り合う前記第１電極線にて前記第１交差方向に並ぶ部分の前記位相は互いに異なっており、前記第１電極線における前記複数の屈曲部のなかで前記第１交差方向にて最も離れた屈曲部の各々と、当該屈曲部の各々から等距離に位置して前記第１方向に延びる仮想的な直線である中心線との間の前記第１交差方向に沿った長さが対象長であり、当該第１電極線が含む前記複数の屈曲部について、前記屈曲部から前記中心線までの前記第１交差方向に沿った長さである中心長は、前記対象長の０．７５倍を超え１倍以下の範囲に含まれ、前記複数の屈曲部には、前記中心長が互いに異なる複数の前記屈曲部が含まれる。
【００１１】
上記構成によれば、複数の第１電極線のなかで同一の方向に延びる部分が、第１交差方向に沿って並ぶ帯状の領域が形成されること、さらに、互いに異なる方向に延びる上記部分から構成される２種類の帯状の領域が第１方向に沿って隙間なく交互に並ぶことが抑えられる。したがって、こうした帯状の領域の並びに起因した帯状のパターンが、反射光等によって視認されることが抑えられる。それゆえ、導電性フィルムを用いたタッチパネルの操作面から見た外観の品質が低くなることが抑えられる。
【００１２】
また、複数の屈曲部において、対象長に対する中心長の比が一定ではないため、この比が一定である構成と比較して、複数の第１電極線からなるパターンにおいて、モアレの誘因となる周期性を低く抑えられる。したがって、電極線パターンと画素パターンとを重ね合わせたパターンにてモアレが視認されることが好適に抑えられる。
【００１３】
上記構成において、前記第１電極線において、前記複数の屈曲部の前記中心長は、前記第１電極線に沿った前記屈曲部の並びの順序に対し不規則に変化していてもよい。
【００１４】
上記構成によれば、複数の第１電極線からなるパターンにおいて、周期性をさらに低く抑えられるため、電極線パターンと画素パターンとを重ね合わせたパターンにてモアレが視認されることが好適に抑えられる。
【００１５】
上記構成において、前記第１交差方向に沿って互いに隣り合う前記第１電極線の前記位相は反転しており、前記第１電極には、前記第１交差方向に沿って互いに隣り合う２つの前記第１電極線のうち、一方の前記第１電極線が有する前記屈曲部と他方の前記第１電極線が有する前記屈曲部とが接続している箇所が含まれてもよい。
【００１６】
上記構成によれば、複数の第１電極線のなかで同一の方向に延びる部分が、第１交差方向に沿って並ぶことが的確に抑えられる。したがって、帯状のパターンが視認されることが好適に抑えられる。また、互いに隣り合う２つの第１電極線が屈曲部にて接続していることにより、第１電極線に断線が生じた場合であっても、周囲から絶縁された部分が第１電極線のなかに発生することが抑えられる。こうした導電性フィルムを用いることにより、タッチパネルにおける接触位置の検出精度の低下が抑えられる。
【００１７】
上記課題を解決する導電性フィルムは、第１面と、前記第１面とは反対側の面である第２面とを有する透明誘電体層と、前記第１面にて、第１方向に沿って延びるとともに、前記第１方向と交差する第１交差方向に沿って並ぶ複数の第１電極と、前記第２面にて、前記第１方向と交差する第２方向に沿って延びるとともに、前記第２方向と交差する第２交差方向に沿って並ぶ複数の第２電極と、を備え、前記第１電極は、前記第１方向に延びる屈曲線形状を有する複数の第１電極線を含み、複数の第１仮想屈曲部と複数の第２仮想屈曲部とを有して前記第１方向に所定の周期で屈曲を繰り返す屈曲線形状を有する仮想的な電極線であって、前記第１仮想屈曲部と前記第２仮想屈曲部とが当該電極線に沿って交互に並び、かつ、複数の前記第１仮想屈曲部と複数の前記第２仮想屈曲部とが、前記第１方向に延びる別々の直線上に位置する電極線が第１基準電極線であり、前記第１基準電極線における前記周期内での前記第１方向における位置が位相であって、複数の前記第１基準電極線は、前記第１交差方向に沿って、互いに隣り合う前記第１基準電極線にて前記第１交差方向に並ぶ部分の前記位相が互いに異なるように並び、複数の前記第１基準電極線の配列間隔の２分の１の長さが基準長であり、前記第１基準電極線における前記第１仮想屈曲部および前記第２仮想屈曲部の各々から等距離に位置して前記第１方向に延びる仮想的な直線が基準中心線であり、前記第１電極線は、前記第１基準電極線に対して、前記第１仮想屈曲部および前記第２仮想屈曲部の少なくとも一方である基準屈曲部の位置を、前記第１基準電極線における前記基準屈曲部の並びの順序に対し不規則に変位した屈曲線形状を有し、当該第１電極線が有する複数の屈曲部について、前記屈曲部から前記基準中心線までの前記第１交差方向に沿った長さは、前記基準長の０．７５倍を超え１倍以下の範囲に含まれる。
【００１８】
上記構成によれば、複数の第１電極線のなかで同一の方向に延びる部分が、第１交差方向に沿って並ぶ帯状の領域が形成されること、さらに、互いに異なる方向に延びる上記部分から構成される２種類の帯状の領域が第１方向に沿って隙間なく交互に並ぶことが抑えられる。したがって、こうした帯状の領域の並びに起因した帯状のパターンが、反射光等によって視認されることが抑えられる。それゆえ、導電性フィルムを用いたタッチパネルの操作面から見た外観の品質が低くなることが抑えられる。
【００１９】
また、複数の屈曲部において、屈曲部から基準中心線までの長さの基準長に対する比が不規則に変化するため、この比が一定である構成と比較して、複数の第１電極線からなるパターンにおいて、モアレの誘因となる周期性を低く抑えられる。したがって、電極線パターンと画素パターンとを重ね合わせたパターンにてモアレが視認されることが好適に抑えられる。
【００２０】
上記構成において、前記第１基準電極線において前記第１交差方向の一方側で隣り合う２つの前記基準屈曲部間の前記第１方向に沿った長さが基準周期であり、前記第１方向に延びる底辺を有する二等辺三角形状の仮想的な領域が変位領域であり、前記変位領域は、前記底辺が前記第１交差方向に隣り合う前記第１基準電極線の間の中央に位置するとともに前記基準屈曲部が前記変位領域内に位置し、当該基準屈曲部を通って前記第１交差方向に延びる仮想的な直線が前記二等辺三角形の頂点と前記底辺の中点とを通る位置に配置され、前記二等辺三角形の高さは、前記配列間隔の０．０５倍以上０．４５倍以下であり、前記底辺の長さは、前記基準周期の０．１倍以上０．９倍以下であり、前記第１電極線の前記屈曲部は、前記変位領域内に位置し、複数の前記屈曲部の少なくとも一部は、前記基準屈曲部に対し、前記第１方向および前記第１交差方向の各々に沿って変位した位置に配置されていてもよい。
【００２１】
上記構成によれば、第１電極線の複数の屈曲部のすべてが、基準屈曲部に対し、第１交差方向のみに変位した位置に配置される構成と比較して、複数の第１電極線からなるパターンにおいて、周期性をさらに低く抑えられる。そのため、電極線パターンと画素パターンとを重ね合わせたパターンにてモアレが視認されることが好適に抑えられる。また、変位領域の高さおよび底辺の長さが上記下限値以上であることによって、第１電極線の形状として、基準電極線の周期性が十分に崩れた形状が得られる。一方、変位領域の高さおよび底辺の長さが上記上限値以下であることによって、第１電極線が過度に不規則な屈曲線形状を有することが抑えられるため、電極線パターンにおいて電極線の配置の密度が過度に不均一になることが抑えられる。
【００２２】
上記構成において、前記第１電極には、前記第１交差方向に沿って互いに隣り合う２つの前記第１電極線のうち、一方の前記第１電極線が有する前記屈曲部と他方の前記第１電極線が有する前記屈曲部とが接続している箇所が含まれてもよい。
【００２３】
上記構成によれば、第１電極線に断線が生じた場合であっても、周囲から絶縁された部分が第１電極線のなかに発生することが抑えられる。こうした導電性フィルムを用いることにより、タッチパネルにおける接触位置の検出精度の低下が抑えられる。
【００２４】
上記構成において、前記第２電極は、前記第２方向に延びる屈曲線形状を有する複数の第２電極線を含み、複数の仮想屈曲部を有して前記第２方向に所定の周期で屈曲を繰り返す屈曲線形状を有する仮想的な電極線が第２基準電極線であり、前記第２基準電極線における前記周期内での前記第２方向における位置が位相であって、複数の前記第２基準電極線は、前記第２交差方向に沿って、互いに隣り合う前記第２基準電極線にて前記第２交差方向に並ぶ部分の前記位相が互いに異なるように並び、前記第２電極線は、前記第２基準電極線に対して、前記第２基準電極線が有する前記複数の仮想屈曲部の少なくとも一部である基準屈曲部の位置を、前記第２基準電極線における前記基準屈曲部の並びの順序に対し不規則に変位した屈曲線形状を有し、複数の前記第１基準電極線の配列間隔が第１基準間隔であり、前記第１基準電極線において前記第１交差方向の一方側で隣り合う仮想屈曲部間の前記第１方向に沿った長さが第１基準周期であり、複数の前記第２基準電極線の配列間隔が第２基準間隔であり、前記第２基準電極線において前記第２交差方向の一方側で隣り合う仮想屈曲部間の前記第２方向に沿った長さが第２基準周期であり、前記第１基準周期は、前記第２基準間隔の２倍の長さであり、前記第２基準周期は、前記第１基準間隔の２倍の長さであってもよい。
【００２５】
上記構成によれば、複数の第１基準電極線と複数の第２基準電極線が重ねられたパターン内においては、第２基準電極線の屈曲部に対する第１基準電極線の屈曲部の位置が一定となる。したがって、こうした基準電極線のパターンにおける電極線の配置の密度の均一性が高くなるように、電極線を配置することができる。そして、複数の第１電極線と複数の第２電極線とが重ねられた電極線パターンは、基準電極線のパターンに基づくパターンであることから、電極線パターンにおいても、電極線の配置の密度が過度に不均一になることが抑えられる。その結果、電極線の疎密の差に起因して生じる砂目が視認されることが抑えられる。
【００２６】
上記構成において、前記第１電極線は、前記複数の屈曲部と、前記第１電極線に沿って互いに隣り合う前記屈曲部を結ぶ直線形状を有した複数の短線部とを含んでもよい。
【００２７】
複数の短線部を含む屈曲線形状を有する電極線においては、第１交差方向に並ぶ部分の位相が一致している場合に特に帯状のパターンが視認されやすい。したがって、複数の短線部を含む屈曲線形状を有する電極線において、第１交差方向に並ぶ部分の位相が互いに異なる上記構成によれば、帯状のパターンが視認されにくくなる効果が高く得られる。
【００２８】
上記課題を解決するタッチパネルは、上記導電性フィルムと、前記導電性フィルムを覆うカバー層と、前記第１電極と前記第２電極との間の静電容量を測定する周辺回路と、を備える。
上記構成によれば、操作面から見た外観の品質が低くなることが抑えられたタッチパネルが実現される。
【００２９】
上記課題を解決する表示装置は、格子状に配列された複数の画素を有して情報を表示する表示パネルと、前記表示パネルの表示する前記情報を透過するタッチパネルと、前記タッチパネルの駆動を制御する制御部と、を備え、前記タッチパネルは、上記タッチパネルである。
【００３０】
上記構成によれば、タッチパネルの操作面から見た外観の品質が低くなることが抑えられた表示装置が実現され、特に、表示装置の非点灯時に外光の反射によって帯状のパターンが視認されることが抑えられる。
【発明の効果】
【００３１】
本発明によれば、タッチパネルにおいて外観の品質の低下を抑えることができる。
【図面の簡単な説明】
【００３２】
【図１】表示装置の第１実施形態について、表示装置の断面構造を示す断面図。
【図２】第１実施形態における導電性フィルムの平面構造を示す平面図。
【図３】第１実施形態における表示パネルの画素配列を示す平面図。
【図４】第１実施形態におけるタッチパネルの電気的構成を説明するための模式図。
【図５】第１実施形態におけるセンシング電極線の構成を示す図。
【図６】第１実施形態におけるセンシング基準電極線の構成を示す図。
【図７】第１実施形態における複数のセンシング基準電極線から構成されるパターンであって、基準間隔に対する基準幅の比が１．０であるパターンのＦＦＴ解析結果の一例を示す図。
【図８】第１実施形態における複数のセンシング基準電極線から構成されるパターンであって、基準間隔に対する基準幅の比が１．０よりも小さいパターンのＦＦＴ解析結果の一例を示す図。
【図９】第１実施形態におけるセンシング基準電極線について、基準間隔に対する基準幅の比とＦＦＴ解析結果における周波数成分の強度との関係を示す図。
【図１０】第１実施形態におけるセンシング電極線とセンシング基準電極線とを重ねて示す図。
【図１１】第１実施形態におけるドライブ電極線とドライブ基準電極線とを重ねて示す図。
【図１２】第１実施形態におけるセンシング基準電極線とドライブ基準電極線とから構成される電極線パターンの一例を示す図。
【図１３】第１実施形態における導電性フィルムの一部分の平面構造を示す平面図であって、センシング電極線とドライブ電極線とから構成される電極線パターンの一例を示す図。
【図１４】導電性フィルムの第２実施形態について、第２実施形態におけるセンシング電極線を第１実施形態のセンシング電極線と重ねて示す図。
【図１５】第２実施形態のセンシング電極線を、センシング基準電極線および基準屈曲部の変位領域とともに示す図。
【図１６】変形例における表示装置の断面構造を示す断面図。
【図１７】変形例における表示装置の断面構造を示す断面図。
【図１８】従来の電極線の構成を示す図。
【発明を実施するための形態】
【００３３】
（第１実施形態）
図１〜図１３を参照して、導電性フィルム、タッチパネル、および、表示装置の第１実施形態について説明する。なお、各図は、第１実施形態の導電性フィルム、タッチパネル、および、表示装置を説明するために、これらの構成を模式的に示した図であり、各図に示される構成が有する各部位の大きさの比率は、実際の比率とは異なる場合がある。
【００３４】
［表示装置の構成］
図１を参照して、表示装置の構成について説明する。
図１が示すように、表示装置１００は、例えば、液晶パネルである表示パネル１０と、タッチパネル２０とが、図示しない１つの透明接着層によって貼り合わされた積層体を備え、さらに、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
【００３５】
表示パネル１０の表面には、略矩形形状の表示面が区画され、表示面には、画像データに基づく画像などの情報が表示される。
【００３６】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３７】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う領域として矩形形状を有する複数の領域を区画し、ブラックマトリクスの区画する各領域には、白色光を赤色、緑色、および、青色のいずれかの色の光に変える着色層が位置している。
【００３８】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５は割愛されてもよい。この際に、ＥＬパネルにおいて相互に隣り合う画素の境界部分は、ブラックマトリクスとして機能する。また、表示パネル１０は放電によって発光するプラズマパネルであってもよく、この場合、赤色の蛍光体層と、緑色の蛍光体層と、青色の蛍光体層とを区画する境界部分がブラックマトリクスとして機能する。
【００３９】
タッチパネル２０は、静電容量方式のタッチパネルであり、導電性フィルム２１とカバー層２２とが透明接着層２３によって貼り合わされた積層体であって、表示パネル１０の表示する情報を透過する光透過性を有している。
【００４０】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、導電性フィルム２１を構成している。
【００４１】
透明基板３１は、表示パネル１０の表示面が表示する画像などの情報を透過する光透過性と絶縁性とを有し、表示面の全体に重ねられている。透明基板３１は、例えば、透明ガラス基板や、透明樹脂フィルムや、シリコン基板などの基材から構成される。透明基板３１に用いられる樹脂としては、例えば、ＰＥＴ（Ｐｏｌｙｅｔｈｙｌｅｎｅ  Ｔｅｒｅｐｈｔｈａｌａｔｅ）、ＰＭＭＡ（Ｐｏｌｙｍｅｔｈｙｌ  ｍｅｔｈａｃｒｙｌａｔｅ）、ＰＰ（Ｐｏｌｙｐｒｏｐｙｌｅｎｅ）、ＰＳ（Ｐｏｌｙｓｔｙｒｅｎｅ）などが挙げられる。透明基板３１は、１つの基材から構成される単層構造体であってもよいし、２つ以上の基材が重ねられた多層構造体であってもよい。
【００４２】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００４３】
透明接着層３２は、表示面に表示される画像などの情報を透過する光透過性を有し、透明接着層３２には、例えば、ポリエーテル系接着剤やアクリル系接着剤などが用いられる。
【００４４】
透明誘電体基板３３は、表示面に表示される画像などの情報を透過する光透過性と、電極間における静電容量の検出に適した比誘電率とを有する。透明誘電体基板３３は、例えば、透明ガラス基板や、透明樹脂フィルムや、シリコン基板などの基材から構成される。透明誘電体基板３３に用いられる樹脂としては、例えば、ＰＥＴ、ＰＭＭＡ、ＰＰ、ＰＳなどが挙げられる。透明誘電体基板３３は、１つの基材から構成される単層構造体であってもよいし、２つ以上の基材が重ねられた多層構造体であってもよい。
【００４５】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４６】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４７】
透明接着層２３は、表示面に表示される画像などの情報を透過する光透過性を有し、透明接着層２３には、例えば、ポリエーテル系接着剤やアクリル系接着剤などが用いられる。透明接着層２３として用いられる接着剤の種類は、ウェットラミネート接着剤であってもよいし、ドライラミネート接着剤やホットラミネート接着剤であってもよい。
【００４８】
カバー層２２は、強化ガラスなどのガラス基板や樹脂フィルムなどから形成され、カバー層２２における透明接着層２３とは反対側の面は、タッチパネル２０における表面であって操作面２０Ｓとして機能する。
【００４９】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００５０】
また、タッチパネル２０の製造に際しては、導電性フィルム２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００５１】
［導電性フィルムの平面構造］
図２を参照して、センシング電極３３ＳＰとドライブ電極３１ＤＰとの位置関係を中心に、導電性フィルム２１の平面構造について説明する。なお、図２は、透明誘電体基板３３の表面と対向する方向から導電性フィルム２１を見た図であり、二点鎖線で囲まれた横方向に沿って延びる帯状領域の各々は、１つのセンシング電極３３ＳＰが配置される領域を示し、二点鎖線で囲まれた縦方向に沿って延びる帯状領域の各々は、１つのドライブ電極３１ＤＰが配置される領域を示している。なお、センシング電極３３ＳＰおよびドライブ電極３１ＤＰの数は簡略化して示している。
【００５２】
また、センシング電極３３ＳＰとドライブ電極３１ＤＰとの構成を理解しやすくするために、図２にて最も上側に位置するセンシング電極３３ＳＰについてのみ、センシング電極３３ＳＰを構成するセンシング電極線を太線で示し、図２にて最も左側に位置するドライブ電極３１ＤＰについてのみ、ドライブ電極３１ＤＰを構成するドライブ電極線を細線で示している。
【００５３】
図２が示すように、透明誘電体基板３３のセンシング電極面３３Ｓにおいて、複数のセンシング電極３３ＳＰの各々は、１つの方向である第１電極方向Ｄ１に沿って延びる帯形状を有し、かつ、第１電極方向Ｄ１と直交する第２電極方向Ｄ２に沿って並んでいる。各センシング電極３３ＳＰは、隣り合う他のセンシング電極３３ＳＰと互いに絶縁されている。
【００５４】
各センシング電極３３ＳＰは、複数のセンシング電極線６３ＳＲから構成され、センシング電極面３３Ｓには、これら複数のセンシング電極線６３ＳＲの集合であるセンシング電極線群が配置されている。センシング電極線６３ＳＲの形成材料には、銅や銀やアルミニウムなどの金属膜が用いられ、センシング電極線６３ＳＲは、例えば、センシング電極面３３Ｓに成膜された金属膜がエッチングによってパターニングされることにより形成される。
【００５５】
複数のセンシング電極３３ＳＰの各々は、センシングパッド３３Ｐを介して個別にタッチパネル２０の周辺回路の一例である検出回路に接続され、検出回路によって電流値を測定される。１つのセンシングパッド３３Ｐに接続されて互いに電気的に接続されている複数のセンシング電極線６３ＳＲが、１つのセンシング電極３３ＳＰを構成するセンシング電極線６３ＳＲである。１つのセンシング電極３３ＳＰを構成する複数のセンシング電極線６３ＳＲは、協働して、当該センシング電極３３ＳＰが位置する領域での静電容量の変化の検出に寄与する。
【００５６】
透明基板３１のドライブ電極面３１Ｓにおいて、複数のドライブ電極３１ＤＰの各々は、第２電極方向Ｄ２に沿って延びる帯形状を有し、かつ、第１電極方向Ｄ１に沿って並んでいる。各ドライブ電極３１ＤＰは、隣り合う他のドライブ電極３１ＤＰと互いに絶縁されている。
【００５７】
各ドライブ電極３１ＤＰは、複数のドライブ電極線６１ＤＲから構成され、ドライブ電極面３１Ｓには、これら複数のドライブ電極線６１ＤＲの集合であるドライブ電極線群が配置されている。ドライブ電極線６１ＤＲの形成材料には、銅や銀やアルミニウムなどの金属膜が用いられ、ドライブ電極線６１ＤＲは、例えば、ドライブ電極面３１Ｓに成膜された金属膜がエッチングによってパターニングされることにより形成される。
【００５８】
複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。１つのドライブパッド３１Ｐに接続されて互いに電気的に接続されている複数のドライブ電極線６１ＤＲが、１つのドライブ電極３１ＤＰを構成するドライブ電極線６１ＤＲである。１つのドライブ電極３１ＤＰを構成する複数のドライブ電極線６１ＤＲは、協働して、当該ドライブ電極３１ＤＰが位置する領域での静電容量の変化の検出に寄与する。
【００５９】
透明誘電体基板３３の表面と対向する平面視において、センシング電極３３ＳＰとドライブ電極３１ＤＰとが相互に重なる部分は、図２の二点鎖線によって区画される四角形状を有した容量検出部ＮＤである。１つの容量検出部ＮＤは、１つのセンシング電極３３ＳＰと、１つのドライブ電極３１ＤＰとが立体的に交差する部分であって、タッチパネル２０において使用者の指などが触れている位置を検出することの可能な最小の単位である。
【００６０】
なお、センシング電極線６３ＳＲおよびドライブ電極線６１ＤＲの形成方法としては、上述のエッチングに限らず、例えば印刷法などの他の方法が用いられてもよい。
【００６１】
［表示パネルの平面構造］
図３を参照して、表示パネル１０におけるカラーフィルタ層１５の平面構造、すなわち、表示パネル１０の画素配列について説明する。
図３が示すように、カラーフィルタ層１５のブラックマトリクス１５ａは、上記第１電極方向Ｄ１と上記第２電極方向Ｄ２とに沿って並ぶ矩形形状を有した複数の単位格子から構成される格子パターンを有している。１つの画素１５Ｐは、第１電極方向Ｄ１に沿って連続する３つの単位格子から構成され、複数の画素１５Ｐは、第１電極方向Ｄ１、および、第２電極方向Ｄ２の各々に沿って格子状に並んでいる。
【００６２】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、赤色着色層１５Ｒ、緑色着色層１５Ｇ、および、青色着色層１５Ｂが、第１電極方向Ｄ１に沿って、この順で、繰り返し並んでいる。また、複数の赤色着色層１５Ｒは、第２電極方向Ｄ２に沿って連続して並び、複数の緑色着色層１５Ｇは、第２電極方向Ｄ２に沿って連続して並び、複数の青色着色層１５Ｂは、第２電極方向Ｄ２に沿って連続して並んでいる。
【００６３】
１つの赤色着色層１５Ｒ、１つの緑色着色層１５Ｇ、および、１つの青色着色層１５Ｂは、１つの画素１５Ｐを構成し、複数の画素１５Ｐは、第１電極方向Ｄ１における赤色着色層１５Ｒ、緑色着色層１５Ｇ、および、青色着色層１５Ｂの並ぶ順番を維持した状態で、第１電極方向Ｄ１に沿って並んでいる。また、換言すれば、複数の画素１５Ｐは、第２電極方向Ｄ２に沿って延びるストライプ状に配置されている。
【００６４】
画素１５Ｐにおける第１電極方向Ｄ１に沿った幅が第１画素幅Ｐ１であり、画素１５Ｐにおける第２電極方向Ｄ２に沿った幅が第２画素幅Ｐ２である。第１画素幅Ｐ１、および、第２画素幅Ｐ２の各々は、表示パネル１０の大きさや表示パネル１０に求められる解像度などに応じた値に設定される。
【００６５】
［タッチパネルの電気的構成］
図４を参照して、タッチパネル２０の電気的構成を、表示装置１００の備える制御部の機能とともに説明する。なお、以下では、静電容量方式のタッチパネル２０の一例として、相互容量方式のタッチパネル２０における電気的構成を説明する。
【００６６】
図４が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００６７】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００６８】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６９】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００７０】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００７１】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００７２】
制御部３６は、信号処理部３５ｂの出力した電圧信号に基づいて、タッチパネル２０において使用者の指などが触れている位置を検出し、検出した位置の情報を、表示パネル１０の表示面に表示される情報の生成などの各種の処理に利用する。なお、タッチパネル２０は、上述した相互容量方式のタッチパネル２０に限らず、自己容量方式のタッチパネルであってもよい。
［センシング電極の構成］
図５を参照して、センシング電極３３ＳＰの構成について説明する。
図５が示すように、複数のセンシング電極線６３ＳＲの各々は、屈曲を繰り返しながら第１電極方向Ｄ１に延びる屈曲線形状を有している。
【００７３】
詳細には、センシング電極線６３ＳＲは、複数の屈曲部６３Ｑと、センシング電極線６３ＳＲに沿って互いに隣り合う屈曲部６３Ｑを結ぶ直線形状を有した複数の短線部６３Ｅとを含んでいる。屈曲部６３Ｑは、互いに隣り合う２つの短線部６３Ｅが接続される部分であり、第１屈曲部の一例である図中山部に相当する屈曲部６３Ｑと、第２屈曲部の一例である図中谷部に相当する屈曲部６３Ｑとが、センシング電極線６３ＳＲに沿って１つずつ交互に並んでいる。換言すれば、センシング電極線６３ＳＲは、複数の短線部６３Ｅが屈曲部６３Ｑを介して連なり、全体として第１電極方向Ｄ１に延びる折れ線形状を有する。
【００７４】
複数の短線部６３Ｅの各々は、短線部６３Ｅの延びる方向に沿って長さＬ１を有し、複数の短線部６３Ｅには、互いに異なる長さＬ１を有する短線部６３Ｅが含まれる。すなわち、複数の短線部６３Ｅにおいて、長さＬ１は一定ではない。第１電極方向Ｄ１に沿って並ぶ複数の短線部６３Ｅの間で、短線部６３Ｅの並びの順序に対し長さＬ１は不規則に変化している。
【００７５】
複数の短線部６３Ｅの各々は、第１電極方向Ｄ１に沿って延びる仮想的な直線である基軸線Ａ１に対して傾きθ１を有し、複数の短線部６３Ｅには、互いに異なる大きさの傾きθ１を有する短線部６３Ｅが含まれる。すなわち、複数の短線部６３Ｅにおいて、傾きθ１の絶対値は一定ではない。傾きθ１は、０度以外の角度であり、互いに隣り合う２つの短線部６３Ｅのうちの一方の傾きθ１は正であり、他方の傾きθ１は負である。換言すれば、１つのセンシング電極線６３ＳＲにおいては、傾きθ１が正である短線部６３Ｅと、傾きθ１が負である短線部６３Ｅとが、第１電極方向Ｄ１に沿って交互に繰り返されている。そして、第１電極方向Ｄ１に沿って並ぶ複数の短線部６３Ｅの間で、短線部６３Ｅの並びの順序に対し傾きθ１の絶対値は不規則に変化している。
【００７６】
センシング電極線６３ＳＲにおける第２電極方向Ｄ２の一方側にて最も外側に位置する屈曲部６３Ｑａと、第２電極方向Ｄ２の他方側にて最も外側に位置する屈曲部６３Ｑｂとの間の第２電極方向Ｄ２における長さが、屈曲幅Ｈｓである。換言すれば、屈曲幅Ｈｓは、第２電極方向Ｄ２において１つのセンシング電極線６３ＳＲが占める幅である。
【００７７】
屈曲部６３Ｑａを通って第１電極方向Ｄ１に延びる仮想的な直線と、屈曲部６３Ｑｂを通って第１電極方向Ｄ１に延びる仮想的な直線との第２電極方向Ｄ２における中間位置を通る仮想的な直線が、中心線Ｃ１である。換言すれば、中心線Ｃ１は、センシング電極線６３ＳＲにおける複数の屈曲部６３Ｑのなかで第２電極方向Ｄ２にて最も離れた屈曲部６３Ｑａ，６３Ｑｂの各々から等距離に位置して第１電極方向Ｄ１に延びる仮想線であり、センシング電極線６３ＳＲごとに設定される。第１屈曲部としての図中山部に相当する屈曲部６３Ｑは、第２電極方向Ｄ２において中心線Ｃ１の一方側に位置し、第２屈曲部としての図中谷部に相当する屈曲部６３Ｑは、第２電極方向Ｄ２において中心線Ｃ１の他方側に位置する。
【００７８】
各センシング電極線６３ＳＲにおいて、屈曲部６３Ｑａから中心線Ｃ１までの第２電極方向Ｄ２に沿った長さは、すなわち、屈曲部６３Ｑｂから中心線Ｃ１までの第２電極方向Ｄ２に沿った長さであり、この長さが対象長Ｇｓである。対象長Ｇｓは、屈曲幅Ｈｓの２分の１の長さである。１つのセンシング電極線６３ＳＲに含まれる複数の屈曲部６３Ｑの各々について、屈曲部６３Ｑから中心線Ｃ１までの第２電極方向Ｄ２に沿った長さである中心長Ｉｓは、対象長Ｇｓの０．７５倍を超え１．０倍以下である。屈曲部６３Ｑａ，６３Ｑｂの中心長Ｉｓは対象長Ｇｓと一致する。
【００７９】
１つのセンシング電極線６３ＳＲには、互いに異なる中心長Ｉｓを有する屈曲部６３Ｑが含まれる。そして、センシング電極線６３ＳＲにおける第２電極方向Ｄ２の一方側に位置する複数の屈曲部６３Ｑ、すなわち複数の第１屈曲部において、中心長Ｉｓは一定ではなく、センシング電極線６３ＳＲにおける第２電極方向Ｄ２の他方側に位置する複数の屈曲部６３Ｑ、すなわち複数の第２屈曲部においても、中心長Ｉｓは一定ではない。複数の屈曲部６３Ｑの中心長Ｉｓは、センシング電極線６３ＳＲに沿った屈曲部６３Ｑの並びの順序に対し不規則に変化している。
【００８０】
また、上記第２電極方向Ｄ２の一方側もしくは他方側にて隣り合う屈曲部６３Ｑ間の長さが屈曲周期Ｗｓであり、１つのセンシング電極線６３ＳＲ内において、屈曲周期Ｗｓは一定である。換言すれば、屈曲周期Ｗｓは、センシング電極線６３ＳＲにおける第１屈曲部間の第１電極方向Ｄ１に沿った長さであるとともに、センシング電極線６３ＳＲにおける第２屈曲部間の第１電極方向Ｄ１に沿った長さである。互いに隣り合う第１屈曲部間の第１電極方向Ｄ１における中央位置と、これらの第１屈曲部に挟まれる第２屈曲部の第１電極方向Ｄ１における位置とは一致する。屈曲周期Ｗｓは、センシング電極線６３ＳＲにおける１周期の長さである。
なお、図５および以降の図においては、電極線の並ぶ方向における屈曲部の位置のばらつきを実際よりも強調して示している。
【００８１】
続いて、複数のセンシング電極線６３ＳＲの配置について説明する。
複数のセンシング電極線６３ＳＲは、第２電極方向Ｄ２に沿って並んでいる。１つのセンシング電極３３ＳＰを構成する複数のセンシング電極線６３ＳＲは、第１電極方向Ｄ１における一方の端部にて共通のセンシングパッド３３Ｐに接続されている。図５における破線Ｎ１は、互いに隣り合うセンシング電極３３ＳＰの境界を示す。すなわち、破線Ｎ１を挟んで隣り合うセンシング電極線６３ＳＲは、互いに異なるセンシング電極３３ＳＰを構成し、互いに異なるセンシングパッド３３Ｐに接続されている。
【００８２】
複数のセンシング電極線６３ＳＲにおいて、屈曲周期Ｗｓは一定である。複数のセンシング電極線６３ＳＲは、第１電極方向Ｄ１に位相のずれた状態で第２電極方向Ｄ２に沿って並んでいる。すなわち、第２電極方向Ｄ２に沿って互いに隣り合うセンシング電極線６３ＳＲにおいて、第２電極方向Ｄ２に沿って並ぶ部分の位相は、互いに異なっている。位相は、センシング電極線６３ＳＲにおける１周期内での第１電極方向Ｄ１における位置であり、例えば、第１屈曲部である屈曲部６３Ｑから、この屈曲部６３Ｑと隣り合う第１屈曲部である屈曲部６３Ｑまでの部分における第１電極方向Ｄ１での位置である。
【００８３】
詳細には、互いに隣り合うセンシング電極線６３ＳＲにおいて、第２電極方向Ｄ２に沿って並ぶ部分は逆位相になっている。換言すれば、互いに隣り合うセンシング電極線６３ＳＲの位相は反転している。例えば、図５に示す領域Ｒ１の中央部分では、谷部間を１周期とするとき、図中上側のセンシング電極線６３ＳＲの位相は、１周期の開始位置に相当し、図中下側のセンシング電極線６３ＳＲの位相は、１周期の２分の１の位置に相当する。こうした構成においては、第２電極方向Ｄ２に沿って、屈曲部６３Ｑは直線上に位置し、山部と谷部、すなわち、第１屈曲部である屈曲部６３Ｑと第２屈曲部である６３Ｑとが、交互に並ぶ。
【００８４】
１つのセンシング電極３３ＳＰ内において、センシング電極線６３ＳＲは、当該センシング電極線６３ＳＲと隣接する他のセンシング電極線６３ＳＲと、屈曲部６３Ｑ同士が接続することにより、少なくとも一箇所で接続している。すなわち、１つのセンシング電極３３ＳＰ内において、第２電極方向Ｄ２に沿って互いに隣り合う２つのセンシング電極線６３ＳＲのうち、１つのセンシング電極線６３ＳＲにおいて最も外側に位置する屈曲部６３Ｑａと、もう１つのセンシング電極線６３ＳＲにおいて最も外側に位置する屈曲部６３Ｑｂとが接続している。なお、１つのセンシング電極線６３ＳＲが有する屈曲部６３Ｑａ，６３Ｑｂのすべてが他のセンシング電極線６３ＳＲと接続しているとは限らない。
【００８５】
１つの電極線のうちの２箇所で断線が生じると、この電極線にて断線箇所に挟まれた部分は、周囲から絶縁されたフローティング部となり、フローティング部の発生は、接触位置の検出精度の低下を引き起こす。センシング電極線６３ＳＲが、隣接する他のセンシング電極線６３ＳＲと屈曲部６３Ｑにて接続している構成であれば、センシング電極線６３ＳＲにおいて、屈曲部６３Ｑの接続箇所を挟む２箇所で断線が生じたとしても、断線箇所に挟まれた部分は接続箇所にて他のセンシング電極線６３ＳＲと電気的に接続されているため、周囲から絶縁された状態とはならない。したがって、電極線の断線によるフローティング部の発生が抑えられる。
【００８６】
接続箇所の数が多いほど、フローティング部の発生は抑えられる。ただし、接続箇所が多すぎると、以下の問題が生じる。すなわち、接続箇所では、電極線が形成する４つの角部が屈曲部６３Ｑの周囲に集まる。角部の集まる部分の形状を設計形状の通りに精密に形成することは難しく、特に、電極線が金属薄膜のエッチングによって形成される場合には、角部における電極線の線幅が設計寸法よりも太くなって、屈曲部６３Ｑが点状に視認されやすくなる。したがって、接続箇所が多すぎると、表示装置１００にて視認される画像の品質の低下を招きかねない。
【００８７】
それゆえ、フローティング部の発生を抑えることと、画像の品質の低下を抑えることとの両立のためには、センシング電極線６３ＳＲにおける接続箇所は、屈曲周期Ｗｓとして３周期以上１０周期以下の間隔をあけて設けられることが好ましく、５周期以上７周期以下の間隔をあけて設けられることがさらに好ましい。また、接続箇所の配置の周期性が高いと、こうした周期性に起因して、表示パネル１０の画素パターンとタッチパネル２０の電極線パターンとを重ね合わせたときに、モアレが視認される場合がある。こうしたモアレを抑えるためには、接続箇所は不規則な間隔で配置されることが好ましい。
【００８８】
一方、互いに異なるセンシング電極３３ＳＰを構成するセンシング電極線６３ＳＲ、すなわち、破線Ｎ１を挟んで隣り合うセンシング電極線６３ＳＲは、これらの電極線の間で屈曲部６３Ｑの接続する箇所を有さない。
【００８９】
［センシング電極線の作成方法］
図６〜図１０を参照して、上述の複数のセンシング電極線６３ＳＲからなるパターンの作成方法について説明する。本実施形態のセンシング電極線６３ＳＲのパターンは、複数の基準電極線から構成されるパターンを基に作成される。基準電極線は、規則的な折れ線形状を有する仮想的な電極線である。まず、図６を参照して、基準電極線から構成されるパターンについて説明する。
【００９０】
図６が示すように、複数のセンシング基準電極線４０ＫＲの各々は、直線形状を有して相互に異なる傾きを有する２種類の基準短線部４０Ｅの集合であり、第１電極方向Ｄ１に沿って交互に繰り返される２種類の基準短線部４０Ｅと、２種類の基準短線部４０Ｅが接続される部分である基準屈曲部４０Ｑとを含んでいる。換言すれば、複数のセンシング基準電極線４０ＫＲの各々は、複数の基準短線部４０Ｅが基準屈曲部４０Ｑを介して連なり、第１電極方向Ｄ１に沿って延びる折れ線形状を有する。
【００９１】
２種類の基準短線部４０Ｅの各々は、基準短線部４０Ｅの延びる方向に沿って長さＬｋを有している。複数の基準短線部４０Ｅの長さＬｋはすべて等しい。２種類の基準短線部４０Ｅのうち、一方の基準短線部４０Ｅａは、第１電極方向Ｄ１に沿って延びる直線である基軸線Ａ１に対して角度＋θｋの傾きを有し、他方の基準短線部４０Ｅｂは、基軸線Ａ１に対して角度−θｋの傾きを有している。互いに隣り合う２つの基準短線部４０Ｅのなす角の角度は、基準角度Ｋαｓであって、複数のセンシング基準電極線４０ＫＲにおける基準角度Ｋαｓはすべて等しい。また、基準角度Ｋαｓは、基準屈曲部４０Ｑを通り、第２電極方向Ｄ２に沿った方向に延びる直線によって、二等分される。
【００９２】
換言すれば、複数の基準屈曲部４０Ｑは、第１仮想屈曲部の一例である図中山部と、第２仮想屈曲部の一例である図中谷部とから構成され、第１仮想屈曲部と第２仮想屈曲部とは、センシング基準電極線４０ＫＲに沿って周期的に１つずつ交互に並ぶ。そして、複数の第１仮想屈曲部と複数の第２仮想屈曲部とは、第１電極方向Ｄ１に沿って延びる別々の直線上に位置する。
【００９３】
第１電極方向Ｄ１に沿って隣り合う基準屈曲部４０Ｑの間の長さは、基準周期ＫＷｓである。すなわち、基準周期ＫＷｓは、センシング基準電極線４０ＫＲにおいて第２電極方向Ｄ２の一方側で互いに隣り合う第１仮想屈曲部間の長さであるとともに、上記第２電極方向Ｄ２の他方側で互いに隣り合う第２仮想屈曲部間の長さである。複数のセンシング基準電極線４０ＫＲにおいて、基準周期ＫＷｓは一定である。
【００９４】
複数のセンシング基準電極線４０ＫＲは、第２電極方向Ｄ２に沿って、一定の間隔である基準間隔ＫＰｓをあけて並んでいる。すなわち、基準間隔ＫＰｓは、互いに隣り合うセンシング基準電極線４０ＫＲにおける、第１仮想屈曲部である基準屈曲部４０Ｑ同士の間、もしくは、第２仮想屈曲部である基準屈曲部４０Ｑ同士の間の第２電極方向Ｄ２に沿った距離である。
【００９５】
センシング基準電極線４０ＫＲにおける第２電極方向Ｄ２の一方側に位置する基準屈曲部４０Ｑ、すなわち第１仮想屈曲部と、第２電極方向Ｄ２の他方側に位置する基準屈曲部４０Ｑ、すなわち第２仮想屈曲部との間の第２電極方向Ｄ２に沿った長さは一定であり、この長さが、基準幅ＫＨｓである。複数のセンシング基準電極線４０ＫＲにおいて、基準幅ＫＨｓは一定である。
【００９６】
上記第１仮想屈曲部である基準屈曲部４０Ｑを通って第１電極方向Ｄ１に延びる仮想的な直線と、第２仮想屈曲部である基準屈曲部４０Ｑを通って第１電極方向Ｄ１に延びる仮想的な直線との第２電極方向Ｄ２における中間位置を通る仮想的な直線が、基準中心線Ｋ１である。換言すれば、基準中心線Ｋ１は、第１仮想屈曲部と第２仮想屈曲部との各々から等距離に位置して第１電極方向Ｄ１に延びる仮想線である。
【００９７】
複数のセンシング基準電極線４０ＫＲは、第１電極方向Ｄ１に位相のずれた状態で第２電極方向Ｄ２に沿って並んでいる。すなわち、第２電極方向Ｄ２に沿って互いに隣り合うセンシング基準電極線４０ＫＲにおいて、第２電極方向Ｄ２に沿って並ぶ部分の位相は、互いに異なっている。位相は、センシング基準電極線４０ＫＲにおける１周期内での第１電極方向Ｄ１における位置である。詳細には、互いに隣り合うセンシング基準電極線４０ＫＲにおいて、第２電極方向Ｄ２に沿って並ぶ部分は逆位相になっている。
【００９８】
基準角度Ｋαｓ、基準周期ＫＷｓ、および、基準間隔ＫＰｓの各パラメータは、フーリエ解析を利用して、複数のセンシング基準電極線４０ＫＲからなるパターンと表示パネル１０の画素パターンとを重ね合わせたときに、モアレの発生が抑えられる値に設定されることが好ましい。具体的には、複数のセンシング基準電極線４０ＫＲからなるパターンを所定周期の画素パターンと重ね合わせたときに生じるモアレのコントラストや、モアレとして視認される縞のピッチおよび角度を算出し、モアレが視認され難くなるように、各パラメータの値が設定される。このとき、互いに異なるサイズや互いに異なる解像度の複数の表示パネル１０が有する画素パターンに対し、共通してモアレの発生が抑えられる各パラメータの値が求められることが好ましい。重ね合わせの対象となる複数の表示パネル１０は、少なくとも、互いに異なるサイズを有する２種類の表示パネル、もしくは、互いに異なる解像度を有する２種類の表示パネルを含んでいればよい。
【００９９】
フーリエ解析では、重ね合わされるパターンに対してフーリエ変換を行って周波数情報を取得し、得られた二次元フーリエパターンの畳み込み（Ｃｏｎｖｏｌｕｔｉｏｎ）を計算した上で、２次元マスクをかけて、逆フーリエ変換によって画像の再構成を行う。モアレのピッチは、重ね合わされる元のパターンの周期より大きいため、上記２次元マスクは、２次元マスクによって高周波成分が取り除かれ、低周波成分のみが取り出されるようにかければよい。マスクの大きさを、人間の視覚応答特性に応じて決まるサイズに設定することによって、画像の再構成後に、モアレのコントラストやピッチや角度を算出することに基づき、視認されるモアレの程度を判断できる。
【０１００】
また、基準間隔ＫＰｓは、表示パネル１０における第１画素幅Ｐ１および第２画素幅Ｐ２の１０％以上６００％以下の範囲で設定されることが好ましい。第１画素幅Ｐ１と第２画素幅Ｐ２とが異なる場合には、第１画素幅Ｐ１および第２画素幅Ｐ２のうちの大きい方の画素幅が基準とされればよい。基準間隔ＫＰｓが第１画素幅Ｐ１および第２画素幅Ｐ２の１０％以上であれば、センシング基準電極線４０ＫＲを基に作成されるパターン内にて電極線の占める割合が過剰になりすぎないため、タッチパネル２０における光の透過率の低下が抑えられる。一方、基準間隔ＫＰｓが第１画素幅Ｐ１および第２画素幅Ｐ２の６００％以下であれば、タッチパネルにおける位置の検出精度が高められる。
【０１０１】
また、基準角度Ｋαｓは、９５度以上１５０度以下であることが好ましく、１００度以上１４０度以下であることがさらに好ましい。基準角度Ｋαｓが９５度以上であると、基準短線部４０Ｅの数が多くなってパターン内で電極線の占める割合が過剰になることが抑えられる。一方、基準角度Ｋαｓが１５０度以下であると、基準周期ＫＷｓが大きすぎない範囲に保たれるため、基準間隔ＫＰｓおよび基準幅ＫＨｓを適切な範囲内の値に設定することが容易となる。
【０１０２】
ここで、基準間隔ＫＰｓに対する基準幅ＫＨｓの比である占有比ＫＨｓ／ＫＰｓとモアレのとの関係について説明する。
図７は、ＫＨｓ／ＫＰｓ＝１．０である場合について、複数のセンシング基準電極線４０ＫＲから構成されるパターンを、ＦＦＴ（Ｆａｓｔ  Ｆｏｕｒｉｅｒ  Ｔｒａｎｓｆｏｒｍａｔｉｏｎ）によって解析した結果であって、複数のセンシング基準電極線４０ＫＲから構成されるパターンの二次元フーリエ変換によるパワースペクトルを示す。図７は、特徴的なピークを強調して示しており、センシング基準電極線４０ＫＲのパターンと関連の低い微弱な点は割愛されている。
【０１０３】
図中の原点は直流成分のピークを示し、２次元の周波数空間には、基準角度Ｋαｓと基準周期ＫＷｓとによって規定される方向に、基本空間周波数成分と高次成分とが現れている。
【０１０４】
図８は、ＫＨｓ／ＫＰｓ＜１．０である場合について、複数のセンシング基準電極線４０ＫＲから構成されるパターンを、ＦＦＴによって解析した結果を示す。図７と比較して、図８に示すパワースペクトルにおいては、新たな高次成分が生じていることが確認される。
【０１０５】
ここで、ｖ軸状に表れている周波数成分ｇに着目する。周波数成分ｇは、センシング基準電極線４０ＫＲのパターンに含まれる第２電極方向Ｄ２のみの周期性に由来する。周波数成分ｇの強度が高いことは、センシング基準電極線４０ＫＲのパターンにて第１電極方向Ｄ１に延びる要素の周波数成分が大きいことを示し、この場合、同じく第１電極方向Ｄ１に延びる表示パネル１０の画素パターンとセンシング基準電極線４０ＫＲのパターンとを重ね合わせたときに、これらのパターンが干渉して、コントラストの高いモアレが発生し易くなる。
【０１０６】
図９は、占有比ＫＨｓ／ＫＰｓを変化させたとき、ＦＦＴ解析結果における周波数成分ｇの強度が基本空間周波数成分の強度に対してどのように変化するかを解析した結果を示す。すなわち、図９には、互いに隣り合うセンシング基準電極線４０ＫＲ間の隙間の大きさと、周波数成分ｇの強度との関係が表れている。図９にて、縦軸は、基本空間周波数成分のスペクトル強度に対する周波数成分ｇのスペクトル強度の比を示し、横軸は、占有比ＫＨｓ／ＫＰｓを示す。
【０１０７】
図９に示されるように、占有比ＫＨｓ／ＫＰｓが小さいほど、すなわち、互いに隣り合うセンシング基準電極線４０ＫＲ間の隙間の大きさが大きいほど、基本空間周波数成分に対する周波数成分ｇの強度が大きくなる。周波数成分ｇの強度は小さいほど好ましいが、センシング基準電極線４０ＫＲのパターンにてモアレの誘因となる周期性が高くなることを抑えるためには、周波数成分ｇの強度が基本空間周波数成分の強度よりも低いこと、すなわち、図９に示す強度比が１．０よりも小さいことが好ましい。すなわち、占有比ＫＨｓ／ＫＰｓは、０．７５よりも大きいことが好ましい。
【０１０８】
なお、占有比ＫＨｓ／ＫＰｓが１．０を越える場合には、互いに隣り合う電極線が交差し、屈曲線形状のセンシング基準電極線４０ＫＲが並ぶパターンが形成されないため、占有比ＫＨｓ／ＫＰｓは１．０以下となる。
【０１０９】
図１０が示すように、複数のセンシング電極線６３ＳＲから構成されるパターンは、複数のセンシング基準電極線４０ＫＲにおける基準屈曲部４０Ｑの位置を不規則に変位させたパターンである。図１０においては、センシング基準電極線４０ＫＲを細線で示し、センシング電極線６３ＳＲを太線で示している。
【０１１０】
詳細には、センシング電極線６３ＳＲの屈曲部６３Ｑは、センシング基準電極線４０ＫＲにおける基準屈曲部４０Ｑに対して第２電極方向Ｄ２に沿って変位した位置に配置される。このとき、屈曲部６３Ｑの位置は、屈曲部６３Ｑから基準中心線Ｋ１までの第２電極方向Ｄ２に沿った長さである変位長ＫＩｓが、基準間隔ＫＰｓの２分の１の長さである基準長ＫＧｓの０．７５倍を超え１．０倍以下となる範囲で、基準屈曲部４０Ｑに対して変位した位置である。複数の屈曲部６３Ｑにおいて、変位長ＫＩｓは、屈曲部６３Ｑの並びの順序、換言すれば、基準となる基準屈曲部４０Ｑの並びの順序に対し、不規則に変化する。本実施形態では、上述のセンシング基準電極線４０ＫＲのパターンにて占有比ＫＨｓ／ＫＰｓを変化させたときのＦＦＴ解析結果に基づき、変位長ＫＩｓの範囲を、基準長ＫＧｓの０．７５倍を超え１．０倍以下としている。
【０１１１】
互いに隣り合うセンシング基準電極線４０ＫＲにおいて向かい合う２つの基準屈曲部４０Ｑの各々に対し、基準長ＫＧｓの１．０倍、すなわち、基準長ＫＧｓと等しい変位長ＫＩｓを有する屈曲部６３Ｑが配置されるとき、各基準屈曲部４０Ｑに対して配置された屈曲部６３Ｑの位置は一致する。こうした箇所が１つのセンシング電極３３ＳＰ内において適宜の位置に設けられることによって、互いに隣り合うセンシング電極線６３ＳＲが屈曲部６３Ｑ同士で接続する接続箇所が形成される。
【０１１２】
センシング電極線６３ＳＲにおける屈曲周期Ｗｓは、センシング基準電極線４０ＫＲの基準周期ＫＷｓと一致する。また、センシング電極線６３ＳＲが、第２電極方向Ｄ２の一方側で隣接する他のセンシング電極線６３ＳＲと屈曲部６３Ｑで接続し、かつ、第２電極方向Ｄ２の他方側で隣接する他のセンシング電極線６３ＳＲと屈曲部６３Ｑで接続するとき、対象長Ｇｓは基準長ＫＧｓと一致し、中心長Ｉｓは変位長ＫＩｓと一致し、中心線Ｃ１は基準中心線Ｋ１と一致する。この場合、センシング電極線６３ＳＲの有する第１屈曲部には、変位長ＫＩｓが基準長ＫＧｓの１．０倍である屈曲部６３Ｑが含まれ、センシング電極線６３ＳＲの有する第２屈曲部にも、変位長ＫＩｓが基準長ＫＧｓの１．０倍である屈曲部６３Ｑが含まれる。そして、変位長ＫＩｓが基準長ＫＧｓの１．０倍である屈曲部６３Ｑの位置で、センシング電極線６３ＳＲは、隣接する他のセンシング電極線６３ＳＲと接続する。
【０１１３】
センシング電極線６３ＳＲが、第２電極方向Ｄ２の一方側もしくは他方側に、変位長ＫＩｓが基準長ＫＧｓの１．０倍である屈曲部６３Ｑを有さないとき、対象長Ｇｓは基準長ＫＧｓと僅かに異なり、中心長Ｉｓは変位長ＫＩｓと異なる場合があり、中心線Ｃ１は基準中心線Ｋ１と異なる場合がある。こうした場合、センシング電極線６３ＳＲにおいて、すべての屈曲部６３Ｑの変位長ＫＩｓが中心長Ｉｓの０．７５倍を超え１．０倍以下の範囲に含まれたとしても、複数の屈曲部６３Ｑには、対象長Ｇｓの０．７５倍を超え１．０倍以下の範囲に含まれない中心長Ｉｓを有する屈曲部６３Ｑが含まれる可能性がある。このように、センシング電極３３ＳＰを構成する複数の電極線には、対象長Ｇｓの０．７５倍を超え１．０倍以下の範囲に含まれない中心長Ｉｓを有する屈曲部６３Ｑを有する電極線が含まれてもよい。
【０１１４】
［ドライブ電極の構成］
図１１を参照して、ドライブ電極３１ＤＰの構成について説明する。
図１１が示すように、ドライブ電極線６１ＤＲは、屈曲を繰り返しながら第２電極方向Ｄ２に延びる屈曲線形状を有しており、センシング電極線６３ＳＲと同様に、規則的な折れ線形状を有する基準電極線を基に作成される。
【０１１５】
詳細には、ドライブ電極線６１ＤＲは、複数の屈曲部６１Ｑと、ドライブ電極線６１ＤＲに沿って互いに隣り合う屈曲部６１Ｑを結ぶ直線形状を有した複数の短線部６１Ｅとを含んでおり、全体として第２電極方向Ｄ２に延びる折れ線形状を有している。
【０１１６】
短線部６１Ｅの延びる方向に沿った長さは、第２電極方向Ｄ２に沿って並ぶ複数の短線部６３Ｅの間で、短線部６３Ｅの並びの順序に対し不規則に変化している。また、第２電極方向Ｄ２に沿って延びる直線に対する短線部６１Ｅの傾きは、複数の短線部６３Ｅの間で、短線部６３Ｅの並びの順序に対し不規則に変化している。そして、１つのドライブ電極線６１ＤＲにおいては、上記傾きが正である短線部６１Ｅと、上記傾きが負である短線部６１Ｅとが、第２電極方向Ｄ２に沿って交互に繰り返されている。
【０１１７】
屈曲幅Ｈｄは、第１電極方向Ｄ１において１つのドライブ電極線６１ＤＲが占める幅である。ドライブ電極線６１ＤＲにおける複数の屈曲部６１Ｑのなかで第１電極方向Ｄ１にて最も離れた２つの屈曲部６１Ｑの各々から等距離に位置して第２電極方向Ｄ２に延びる仮想的な直線が、中心線Ｃ２である。上記第１電極方向Ｄ１にて最も離れた２つの屈曲部６１Ｑの各々から中心線Ｃ２までの第１電極方向Ｄ１に沿った長さが、対象長Ｇｄであり、対象長Ｇｄは、屈曲幅Ｈｄの２分の１の長さである。１つのドライブ電極線６１ＤＲに含まれる複数の屈曲部６１Ｑの各々について、屈曲部６１Ｑから中心線Ｃ２までの第１電極方向Ｄ１に沿った長さである中心長Ｉｄは、対象長Ｇｄの０．７５倍を超え１．０倍以下である。複数の屈曲部６１Ｑの中心長Ｉｄは、ドライブ電極線６１ＤＲに沿った屈曲部６１Ｑの並びの順序に対し不規則に変化している。
【０１１８】
ドライブ電極線６１ＤＲにおいて第１電極方向Ｄ１の一方側もしくは他方側にて隣り合う屈曲部６１Ｑ間の長さが屈曲周期Ｗｄであり、１つのドライブ電極線６１ＤＲ内において、屈曲周期Ｗｄは一定である。屈曲周期Ｗｄは、ドライブ電極線６１ＤＲにおける１周期の長さである。
【０１１９】
複数のドライブ電極線６１ＤＲは、第１電極方向Ｄ１に沿って並んでいる。１つのドライブ電極３１ＤＰを構成する複数のドライブ電極線６１ＤＲは、第２電極方向Ｄ２における一方の端部にて共通のドライブパッド３１Ｐに接続されている。図１１における破線Ｎ２は、互いに隣り合うドライブ電極３１ＤＰの境界を示す。すなわち、破線Ｎ２を挟んで隣り合うドライブ電極線６１ＤＲは、互いに異なるドライブ電極３１ＤＰを構成し、互いに異なるドライブパッド３１Ｐに接続されている。
【０１２０】
複数のドライブ電極線６１ＤＲにおいて、屈曲周期Ｗｄは一定である。ドライブ電極線６１ＤＲにおける位相は、ドライブ電極線６１ＤＲにおける１周期内での第２電極方向Ｄ２における位置である。複数のドライブ電極線６１ＤＲは、第２電極方向Ｄ２に位相のずれた状態で第１電極方向Ｄ１に沿って並んでおり、すなわち、第１電極方向Ｄ１に沿って互いに隣り合うドライブ電極線６１ＤＲにおいて、第１電極方向Ｄ１に沿って並ぶ部分の位相は、互いに異なっている。詳細には、互いに隣り合うドライブ電極線６１ＤＲにおいて、第１電極方向Ｄ１に沿って並ぶ部分は逆位相になっており、互いに隣り合うドライブ電極線６１ＤＲの位相は反転している。
【０１２１】
１つのドライブ電極３１ＤＰ内において、ドライブ電極線６１ＤＲは、当該ドライブ電極線６１ＤＲと隣接する他のドライブ電極線６１ＤＲと、屈曲部６１Ｑ同士が接続することにより、少なくとも一箇所で接続している。ドライブ電極３１ＤＰにおいても、フローティング部の発生を抑えることと、画像の品質の低下を抑えることとの両立のためには、ドライブ電極線６１ＤＲにて、隣接する他のドライブ電極線６１ＤＲと屈曲部６１Ｑで接続する接続箇所は、屈曲周期Ｗｄとして３周期以上１０周期以下の間隔をあけて設けられることが好ましく、５周期以上７周期以下の間隔をあけて設けられることがさらに好ましい。また、接続箇所は不規則な間隔で配置されることが好ましい。
【０１２２】
一方、互いに異なるドライブ電極３１ＤＰを構成するドライブ電極線６１ＤＲ、すなわち、破線Ｎ２を挟んで隣り合うドライブ電極線６１ＤＲは、これらの電極線の間で屈曲部６１Ｑの接続する箇所を有さない。
【０１２３】
ドライブ電極線６１ＤＲの作成に用いられる仮想的な電極線であるドライブ基準電極線４１ＫＲは、第１電極方向Ｄ１に沿って交互に繰り返される２種類の基準短線部４１Ｅと、２種類の基準短線部４１Ｅが接続される部分である基準屈曲部４１Ｑとを含んでいる。２種類の基準短線部４１Ｅの各々の長さは一定である。２種類の基準短線部４１Ｅのうち、一方の基準短線部４１Ｅが第２電極方向Ｄ２に沿って延びる直線に対して有する傾きは正であり、他方の基準短線部４１Ｅが第２電極方向Ｄ２に沿って延びる直線に対して有する傾きは負であり、これらの傾きの絶対値は等しい。ドライブ基準電極線４１ＫＲにおける第１電極方向Ｄ１の一方側に位置する基準屈曲部４１Ｑと他方側に位置する基準屈曲部４１Ｑとは、第２電極方向Ｄ２に沿って延びる別々の直線上に位置する。
【０１２４】
互いに隣り合う２つの基準短線部４１Ｅのなす角の角度は、基準角度Ｋαｄであって、複数のドライブ基準電極線４１ＫＲにおける基準角度Ｋαｄはすべて等しい。第２電極方向Ｄ２に沿って隣り合う基準屈曲部４１Ｑの間の長さは、基準周期ＫＷｄである。複数のドライブ基準電極線４１ＫＲにおいて、基準周期ＫＷｄは一定である。ドライブ基準電極線４１ＫＲにおける第１電極方向Ｄ１の一方側に位置する基準屈曲部４０Ｑと、第１電極方向Ｄ１の他方側に位置する基準屈曲部４１Ｑとの間の第１電極方向Ｄ１に沿った長さが基準幅ＫＨｄであり、複数のドライブ基準電極線４１ＫＲにおいて、基準幅ＫＨｄは一定である。
【０１２５】
また、上記第１電極方向Ｄ１の一方側に位置する基準屈曲部４０Ｑと、第１電極方向Ｄ１の他方側に位置する基準屈曲部４１Ｑとの各々から等距離に位置して第２電極方向Ｄ２に延びる仮想的な直線が、基準中心線Ｋ２である。
【０１２６】
複数のドライブ基準電極線４１ＫＲは、第１電極方向Ｄ１に沿って、一定の間隔である基準間隔ＫＰｄをあけて並んでいる。基準間隔ＫＰｄの２分の１の長さが、基準長ＫＧｄである。複数のドライブ基準電極線４１ＫＲは、第２電極方向Ｄ２に位相のずれた状態で第１電極方向Ｄ１に沿って並んでいる。位相は、ドライブ基準電極線４１ＫＲにおける１周期内での第２電極方向Ｄ２における位置である。詳細には、互いに隣り合うドライブ基準電極線４１ＫＲにおいて、第１電極方向Ｄ１に沿って並ぶ部分は逆位相になっている。
【０１２７】
ドライブ基準電極線４１ＫＲにおいて、基準角度Ｋαｄ、基準周期ＫＷｄ、および、基準間隔ＫＰｄの各々は、上述のセンシング基準電極線４０ＫＲの説明にて基準角度Ｋαｓ、基準周期ＫＷｓ、および、基準間隔ＫＰｓの各々について示した条件と同じ条件を満たすように設定されることが好ましい。すなわち、基準角度Ｋαｄ、基準周期ＫＷｄ、および、基準間隔ＫＰｄの各パラメータは、複数のドライブ基準電極線４１ＫＲのパターンと表示パネル１０の画素パターンとを重ね合わせたときに、モアレの発生が抑えられる値に設定されることが好ましい。そして、基準角度Ｋαｄは、９５度以上１５０度以下であることが好ましく、１００度以上１４０度以下であることがさらに好ましい。また、基準間隔ＫＰｄは、表示パネル１０における第１画素幅Ｐ１および第２画素幅Ｐ２の１０％以上６００％以下の範囲で設定されることが好ましい。
【０１２８】
複数のドライブ電極線６１ＤＲから構成されるパターンは、複数のドライブ基準電極線４１ＫＲにおける基準屈曲部４１Ｑの位置を不規則に変位させたパターンである。ドライブ電極線６１ＤＲの屈曲部６１Ｑは、ドライブ基準電極線４１ＫＲにおける基準屈曲部４１Ｑに対して第１電極方向Ｄ１に沿って変位した位置に配置される。このとき、屈曲部６１Ｑの位置は、屈曲部６１Ｑから基準中心線Ｋ２までの第１電極方向Ｄ１に沿った長さである変位長ＫＩｄが、基準長ＫＧｄの０．７５倍を超え１．０倍以下となる範囲で、基準屈曲部４１Ｑに対して変位した位置である。複数の屈曲部６１Ｑにおいて、変位長ＫＩｄは、屈曲部６１Ｑの並びの順序、換言すれば、基準となる基準屈曲部４１Ｑの並びの順序に対し、不規則に変化する。
【０１２９】
互いに隣り合うドライブ基準電極線４１ＫＲにおいて向かい合う２つの基準屈曲部４１Ｑの各々に対し、基準長ＫＧｄの１．０倍の変位長ＫＩｄを有する屈曲部６１Ｑが配置されるとき、各基準屈曲部４１Ｑに対して配置された屈曲部６１Ｑの位置は一致し、これらのドライブ基準電極線４１ＫＲは当該屈曲部６１Ｑにて接続する。
【０１３０】
ドライブ電極線６１ＤＲにおける屈曲周期Ｗｄは、ドライブ基準電極線４１ＫＲの基準周期ＫＷｄと一致する。ドライブ電極線６１ＤＲが、第１電極方向Ｄ１の一方側で隣接する他のドライブ電極線６１ＤＲと屈曲部６１Ｑで接続し、かつ、第１電極方向Ｄ１の他方側で隣接する他のドライブ電極線６１ＤＲと屈曲部６１Ｑで接続するとき、対象長Ｇｄは基準長ＫＧｄと一致し、中心長Ｉｄは変位長ＫＩｄと一致し、中心線Ｃ２は基準中心線Ｋ２と一致する。
【０１３１】
ドライブ電極線６１ＤＲが、第１電極方向Ｄ１の一方側もしくは他方側に、変位長ＫＩｄが基準長ＫＧｄの１．０倍である屈曲部６１Ｑを有さないとき、対象長Ｇｄは基準長ＫＧｄと僅かに異なり、中心長Ｉｄは変位長ＫＩｄと異なる場合があり、中心線Ｃ２は基準中心線Ｋ２と異なる場合がある。すなわち、上述の作成方法によってドライブ電極線６１ＤＲが作成されるとき、ドライブ電極３１ＤＰを構成する複数の電極線には、対象長Ｇｄの０．７５倍を超え１．０倍以下の範囲に含まれない中心長Ｉｄを有する屈曲部６１Ｑを有する電極線が含まれてもよい。
【０１３２】
［電極線パターンの構成］
図１２および図１３を参照して、複数のセンシング電極線６３ＳＲと複数のドライブ電極線６１ＤＲとが重ね合わされることによって形成されるパターンである電極線パターンについて説明する。
まず、図１２を参照して、センシング基準電極線４０ＫＲとドライブ基準電極線４１ＫＲとの好ましい形状および配置について説明する。
【０１３３】
センシング基準電極線４０ＫＲとドライブ基準電極線４１ＫＲとにおいて、基準短線部４０Ｅの長さと基準短線部４１Ｅの長さ、基準角度Ｋαｓと基準角度Ｋαｄ、基準周期ＫＷｓと基準周期ＫＷｄ、および、基準間隔ＫＰｓと基準間隔ＫＰｄの各々は、一致していてもよいし、異なってもよい。ただし、センシング基準電極線４０ＫＲの基準周期ＫＷｓは、ドライブ基準電極線４１ＫＲの基準間隔ＫＰｄの２倍であり（ＫＷｓ＝２×ＫＰｄ）、ドライブ基準電極線４１ＫＲの基準周期ＫＷｄは、センシング基準電極線４０ＫＲの基準間隔ＫＰｓの２倍である（ＫＷｄ＝２×ＫＰｓ）ことが好ましい。
【０１３４】
導電性フィルム２１では、透明誘電体基板３３の表面と対向する方向から見て、複数のセンシング電極線６３ＳＲから構成されるパターンと、複数のドライブ電極線６１ＤＲから構成されるパターンとが重ね合わされたパターンである電極線パターンが形成される。このとき、センシング電極３３ＳＰの延びる方向とドライブ電極３１ＤＰの延びる方向とが直交するように、これらの電極線が重ねられる。こうした電極線パターンは、複数のセンシング基準電極線４０ＫＲから構成されるパターンと、複数のドライブ基準電極線４１ＫＲから構成されるパターンとが、センシング基準電極線４０ＫＲの延びる方向とドライブ基準電極線４１ＫＲの延びる方向とが直交するように重ね合わされたパターンに基づくパターンである。
【０１３５】
図１２が示すように、ＫＷｓ＝２×ＫＰｄ、かつ、ＫＷｄ＝２×ＫＰｓである場合、ドライブ基準電極線４１ＫＲに対するセンシング基準電極線４０ＫＲの配置、すなわち、基準屈曲部４１Ｑや基準短線部４１Ｅに対する基準屈曲部４０Ｑや基準短線部４０Ｅの位置が、パターン内で一定となる。したがって、基準電極線４０ＫＲ，４１ＫＲから構成されるパターンにおける電極線の配置の密度の均一性を高めることが可能であり、ひいては、センシング電極線６３ＳＲおよびドライブ電極線６１ＤＲから構成される電極線パターンにおける電極線の配置の密度がパターン内で過度に不均一になることが抑えられる。
【０１３６】
例えば、図１２が示すように、基準電極線４０ＫＲ，４１ＫＲから構成されるパターンにおいて、センシング基準電極線４０ＫＲの基準屈曲部４０Ｑは、互いに隣り合うドライブ基準電極線４１ＫＲの間の中央部で、これらの電極線間の隙間と重なる。また、ドライブ基準電極線４１ＫＲの基準屈曲部４１Ｑは、互いに隣り合うセンシング基準電極線４０ＫＲの間の中央部で、これらの電極線間の隙間と重なる。そして、センシング基準電極線４０ＫＲの基準短線部４０Ｅの中点と、ドライブ基準電極線４１ＫＲの基準短線部４１Ｅの中点とが交差する。
【０１３７】
図１３は、図１２に示した基準電極線４０ＫＲ，４１ＫＲから構成されるパターンを基に作成されたセンシング電極線６３ＳＲおよびドライブ電極線６１ＤＲから構成される電極線パターンを示す。
【０１３８】
電極線パターンを構成するセンシング電極線６３ＳＲおよびドライブ電極線６１ＤＲは、不規則に屈曲する屈曲線形状を有するため、電極線パターンには、電極線の疎密の差、すなわち、電極線が密に配置される領域と電極線が疎らである領域とが生じる場合がある。しかしながら、パターンにおける電極線の疎密が過度に不均一であると、電極線の疎密の差が、電極線パターンが位置する領域内に明るさ等のムラを生じさせ、結果として、砂目と呼ばれる現象を引き起こす要因となる場合がある。砂目は、タッチパネル２０の操作面２０Ｓから見て、砂状に分布するちらつきや画面のぎらつきが感じられる現象である。
【０１３９】
基準電極線４０ＫＲ，４１ＫＲから構成されるパターンとして、電極線の配置の密度の均一性が高いパターンを利用して電極線パターンを作成することによって、電極線パターンにおける電極線の配置の密度がパターン内で過度に不均一になることが抑えられる。
【０１４０】
また、センシング電極線６３ＳＲおよびドライブ電極線６１ＤＲの各々において、中心長Ｉｓ，Ｉｄが対象長Ｇｓ，Ｇｄの０．７５倍を超え１．０倍以下であること、変位長ＫＩｓ，ＫＩｄが、基準長ＫＧｓ，ＫＧｄの０．７５倍を超え１．０倍以下であることによって、電極線形状が過度に不規則になることが抑えられる。これによっても、電極線の配置の密度がパターン内で過度に不均一になることが抑えられる。
【０１４１】
［作用］
第１実施形態の作用を説明する。直線状に延びる電極線が交差するパターンのように、同一形状の矩形が繰り返されるパターンと比較して、本実施形態の電極線パターンは、矩形とは異なる多角形から構成されるパターンであるため、パターンの周期性が低い。したがって、画素パターンと電極線パターンとのずれが、２つの周期構造のずれとして認識され難くなるため、本実施形態の電極線パターンを表示パネル１０の画素パターンと重ね合わせた場合に、モアレが視認されることが抑えられる。その結果、表示装置１００にて視認される画像の品質の低下が抑えられる。
【０１４２】
特に、電極線パターンを構成するセンシング電極線６３ＳＲおよびドライブ電極線６１ＤＲの各々が不規則な屈曲線形状を有するため、規則的な屈曲線形状を有する電極線からパターンが形成される場合と比較して、パターンの周期性がより低くなる。したがって、電極線パターンと画素パターンとを重ね合わせた場合に、モアレが視認されることがより好適に抑えられる。
【０１４３】
また、基準電極線４０ＫＲ，４１ＫＲのパターンが有する周期性は、センシング電極線６３ＳＲおよびドライブ電極線６１ＤＲから構成される電極線パターンにも残存する。本実施形態では、基準角度Ｋαｓ，Ｋαｄ、基準周期ＫＷｓ，ＫＷｄ、および、基準間隔ＫＰｓ，ＫＰｄの各々が、モアレの生じ難い値に設定されている基準電極線４０ＫＲ，４１ＫＲのパターンから電極線パターンが作成される。そのため、電極線パターンと画素パターンとを重ね合わせた場合に、基準電極線４０ＫＲ，４１ＫＲの周期性に起因したモアレが視認されることも抑えられる。
【０１４４】
そして、複数のセンシング電極線６３ＳＲと複数のドライブ電極線６１ＤＲとの各々において、互いに隣り合う電極線の位相がずれていること、さらには、短線部６３Ｅ，６１Ｅの傾きが一定ではないことから、第１電極方向Ｄ１や第２電極方向Ｄ２に沿って、同一の傾きの短線部が並ぶことは起こらない。それゆえ、同一の傾きの短線部が並ぶ帯状の領域が電極線の並ぶ方向に延びるように形成されること、さらに、短線部の延びる方向が互いに異なる２種類の帯状の領域が交互に並ぶことは起こらない。そのため、帯状のパターンが、特に、表示装置１００の非点灯時に外光の反射によって視認されることが抑えられ、操作面２０Ｓから見た外観の品質が低くなることが抑えられる。
【０１４５】
なお、第１実施形態において、透明誘電体基板３３は透明誘電体層の一例である。そして、透明誘電体基板３３の表面を第１面とするとき、透明誘電体基板３３の裏面が第２面であり、センシング電極３３ＳＰが第１電極であって、第１電極線としてのセンシング電極線６３ＳＲを含み、ドライブ電極３１ＤＰが第２電極であって、第２電極線としてのドライブ電極線６１ＤＲを含む。また、センシング基準電極線４０ＫＲが第１基準電極線であり、ドライブ基準電極線４１ＫＲが第２基準電極線である。そして、第１電極方向Ｄ１が、第１方向かつ第２交差方向であり、第２電極方向Ｄ２が、第２方向かつ第１交差方向である。
【０１４６】
また、透明誘電体基板３３の表面を第２面とするとき、透明誘電体基板３３の裏面が第１面であり、センシング電極３３ＳＰが第２電極であって、第２電極線としてのセンシング電極線６３ＳＲを含み、ドライブ電極３１ＤＰが第１電極であって、第１電極線としてのドライブ電極線６１ＤＲを含む。また、センシング基準電極線４０ＫＲが第２基準電極線であり、ドライブ基準電極線４１ＫＲが第１基準電極線である。そして、第１電極方向Ｄ１が、第２方向かつ第１交差方向であり、第２電極方向Ｄ２が、第１方向かつ第２交差方向である。
【０１４７】
以上説明したように、第１実施形態によれば、以下に列挙する効果を得ることができる。
（１）互いに隣り合うセンシング電極線６３ＳＲの位相がずれていることにより、複数のセンシング電極線６３ＳＲのなかで同一の方向に延びる短線部が、第２電極方向Ｄ２に沿って並ぶ帯状の領域が形成されること、さらに、短線部の延びる方向が互いに異なる２種類の帯状の領域が第１電極方向Ｄ１に沿って交互に並ぶことが抑えられる。したがって、こうした帯状の領域の並びに起因した帯状のパターンが、反射光等によって視認されることが抑えられ、操作面２０Ｓから見た外観の品質が低くなることが抑えられる。同様に、互いに隣り合うドライブ電極線６１ＤＲの位相がずれていることにより、複数のドライブ電極線６１ＤＲのなかで同一の方向に延びる短線部が、第１電極方向Ｄ１に沿って並ぶ帯状の領域が形成されること、さらに、短線部の延びる方向が互いに異なる２種類の帯状の領域が第２電極方向Ｄ２に沿って交互に並ぶことが抑えられる。したがって、こうした帯状の領域の並びに起因した帯状のパターンが視認されることが抑えられ、操作面２０Ｓから見た外観の品質が低くなることが抑えられる。
【０１４８】
特に、互いに隣り合うセンシング電極線６３ＳＲの位相が反転しているため、同一の方向に延びる短線部が第２電極方向Ｄ２に沿って並ぶこと、さらに、短線部の延びる方向が互いに異なる２種類の帯状の領域が第１電極方向Ｄ１に沿って交互に並ぶことが的確に抑えられる。同様に、互いに隣り合うドライブ電極線６１ＤＲの位相が反転しているため、同一の方向に延びる短線部が第１電極方向Ｄ１に沿って並ぶこと、さらに、短線部の延びる方向が互いに異なる２種類の帯状の領域が第２電極方向Ｄ２に沿って交互に並ぶことが的確に抑えられる。したがって、帯状のパターンが視認されることが好適に抑えられる。
【０１４９】
また、センシング電極線６３ＳＲにおいて短線部６３Ｅの傾きが不規則であること、および、ドライブ電極線６１ＤＲにおいて短線部６１Ｅの傾きが不規則であることによっても、上記帯状の領域の形成が抑えられる。
【０１５０】
（２）センシング電極線６３ＳＲにおいて、屈曲部６３Ｑにおける中心長Ｉｓの対象長Ｇｓに対する比が一定ではないため、また、屈曲部６３Ｑにおける変位長ＫＩｓの基準長ＫＧｓに対する比が一定ではないため、これらの比が一定である構成と比較して、電極線パターンにおける周期性が低く抑えられる。そのため、電極線パターンと画素パターンとを重ね合わせたパターンにてモアレが視認されることが好適に抑えられる。同様に、ドライブ電極線６１ＤＲにおいて、屈曲部６１Ｑにおける中心長Ｉｄの対象長Ｇｄに対する比が一定ではないため、また、屈曲部６１Ｑにおける変位長ＫＩｄの基準長ＫＧｄに対する比が一定ではないため、電極線パターンと画素パターンとを重ね合わせたパターンにてモアレが視認されることが好適に抑えられる。
【０１５１】
特に上記の各比が、屈曲部の並びの順序に対して不規則に変化するため、電極線パターンにおける周期性がより低く抑えられ、モアレを抑える効果が高められる。
【０１５２】
一方で、上記の各比が０．７５を超え１．０以下であるため、センシング電極線６３ＳＲやドライブ電極線６１ＤＲが過度に不規則な屈曲線形状を有することが抑えられることから、電極線パターンにおける電極線の配置の密度が過度に不均一になることが抑えられる。その結果、砂目の発生等によって表示装置１００にて視認される画像の品質が低下することが抑えられる。
【０１５３】
（３）センシング電極３３ＳＰは、第２電極方向Ｄ２に沿って互いに隣り合う２つのセンシング電極線６３ＳＲのうち、一方のセンシング電極線６３ＳＲが有する屈曲部６３Ｑと他方のセンシング電極線６３ＳＲが有する屈曲部６３Ｑとが接続している箇所を含む。同様に、ドライブ電極３１ＤＰは、第１電極方向Ｄ１に沿って互いに隣り合う２つのドライブ電極線６１ＤＲのうち、一方のドライブ電極線６１ＤＲが有する屈曲部６１Ｑと他方のドライブ電極線６１ＤＲが有する屈曲部６１Ｑとが接続している箇所を含む。こうした構成によれば、電極線の断線によるフローティング部の発生が抑えられ、その結果、接触位置の検出精度の低下が抑えられる。
【０１５４】
（４）複数のセンシング電極線６３ＳＲは、位相のずれた状態で並ぶ複数のセンシング基準電極線４０ＫＲの基準屈曲部４０Ｑを、各センシング基準電極線４０ＫＲでの基準屈曲部４０Ｑの並びの順序に対し不規則に変位した屈曲線形状を有する。また同様に、複数のドライブ電極線６１ＤＲは、位相のずれた状態で並ぶ複数のドライブ基準電極線４１ＫＲの基準屈曲部４１Ｑを、各ドライブ基準電極線４１ＫＲの基準屈曲部４１Ｑの並びの順序に対し不規則に変位した屈曲線形状を有する。こうした構成によれば、上記（１），（２）の効果を得られる電極線が的確に実現される。
【０１５５】
（５）センシング基準電極線４０ＫＲの基準周期ＫＷｓが、ドライブ基準電極線４１ＫＲの基準間隔ＫＰｄの２倍であり、ドライブ基準電極線４１ＫＲの基準周期ＫＷｄが、センシング基準電極線４０ＫＲの基準間隔ＫＰｓの２倍である。こうした構成によれば、複数のセンシング基準電極線４０ＫＲと複数のドライブ基準電極線４１ＫＲとが重ね合わされたパターンにて、ドライブ基準電極線４１ＫＲの基準屈曲部４１Ｑに対するセンシング基準電極線４０ＫＲの基準屈曲部４０Ｑの位置が、パターン内で一定となる。それゆえ、パターン内にて電極線の配置の密度が均等になるように、パターンを形成することが可能であり、こうしたパターンに基づいて作成される電極線パターンにおいても、電極線の配置の密度が過度に不均一になることが抑えられる。したがって、電極線の疎密の差に起因して生じる砂目が視認されることが抑えられるため、表示装置１００にて視認される画像の品質の低下が抑えられる。
【０１５６】
（第２実施形態）
図１４および図１５を参照して、導電性フィルム、タッチパネル、および、表示装置の第２実施形態について説明する。以下では、第２実施形態と第１実施形態との相違点を中心に説明し、第１実施形態と同様の構成については同じ符号を付してその説明を省略する。
【０１５７】
［センシング電極の構成］
図１４および図１５を参照して、第２実施形態のセンシング電極線６４ＳＲの構成について説明する。図１４は、第２実施形態のセンシング電極線６４ＳＲを太線で示し、第１実施形態のセンシング電極線６３ＳＲを細線で示す。また、図１５は、第２実施形態のセンシング電極線６４ＳＲを太線で示し、センシング基準電極線４０ＫＲを細線で示す。
【０１５８】
図１４が示すように、第２実施形態のセンシング電極線６４ＳＲは、第１実施形態のセンシング電極線６３ＳＲに対し、隣接する他のセンシング電極線６３ＳＲと接続している屈曲部６３Ｑ以外の屈曲部６３Ｑの位置を、第１電極方向Ｄ１に沿って不規則に変位させた形状を有する。こうした構成においては、センシング電極線６３ＳＲとセンシング電極線６４ＳＲとで対象長Ｇｓは変化せず、各屈曲部についての中心長Ｉｓも変化しない。また、センシング電極線６４ＳＲにおける屈曲の周期は一定ではない。
【０１５９】
図１５が示すように、第２実施形態のセンシング電極線６４ＳＲが有する屈曲部６４Ｑのうち、隣接する他のセンシング電極線６４ＳＲと接続している屈曲部６４Ｑは、第１実施形態と同様に、センシング基準電極線４０ＫＲにおける基準屈曲部４０Ｑに対して第２電極方向Ｄ２に沿って変位した位置に配置される。一方、第２実施形態のセンシング電極線６４ＳＲが有する屈曲部６４Ｑのうち、隣接する他のセンシング電極線６４ＳＲと接していない屈曲部６４Ｑは、センシング基準電極線４０ＫＲにおける基準屈曲部４０Ｑに対して第１電極方向Ｄ１および第２電極方向Ｄ２の各々に沿って変位した位置に配置される。結果として、１つのセンシング電極線６４ＳＲは、１つのセンシング基準電極線４０ＫＲに対して、各基準屈曲部４０Ｑの位置を、基準屈曲部４０Ｑの並びの順序に対して不規則に変位した形状を有する。こうした構成においても、センシング電極線６４ＳＲの各屈曲部６４Ｑについて、屈曲部６４Ｑの変位長ＫＩｓは、基準長ＫＧｓの０．７５倍を超え１．０倍以下である。
【０１６０】
ここで、センシング電極線６４ＳＲが有する屈曲部６４Ｑは、基準屈曲部４０Ｑを囲む三角形状の変位領域Ｓｓ内に位置する。換言すれば、屈曲部６４Ｑは、変位領域Ｓｓ内に位置するように、基準屈曲部４０Ｑに対して変位した位置に配置される。
【０１６１】
変位領域Ｓｓは、第１電極方向Ｄ１に沿って延びる底辺Ｂｋを有する二等辺三角形状を有し、底辺Ｂｋがセンシング基準電極線４０ＫＲの外側に向けられ、基準屈曲部４０Ｑを通って第２電極方向Ｄ２に延びる直線が、二等辺三角形の頂点と底辺Ｂｋの中点とを通るように配置される。底辺Ｂｋは、第２電極方向Ｄ２に沿って互いに隣り合うセンシング基準電極線４０ＫＲの間の中央に配置される。そして、底辺Ｂｋは、一方のセンシング基準電極線４０ＫＲの基準屈曲部４０Ｑに対して設定される変位領域Ｓｓと、この基準屈曲部４０Ｑと向かい合う、他方のセンシング基準電極線４０ＫＲの基準屈曲部４０Ｑに対して設定される変位領域Ｓｓとの間で共有されている。すなわち、変位領域Ｓｓの底辺Ｂｋは、基準中心線Ｋ１から、第２電極方向Ｄ２に基準間隔ＫＰｓの２分の１の長さである基準長ＫＧｓだけ離れた位置に配置される。
【０１６２】
底辺Ｂｋの長さｄｂは、基準周期ＫＷｓの０．１倍以上０．９倍以下であることが好ましい。また、変位領域Ｓｓである三角形の高さｄｈは、基準間隔ＫＰｓの０．０５倍以上０．４５倍以下であることが好ましい。
【０１６３】
長さｄｂおよび高さｄｈが上記下限値以上であれば、センシング電極線６４ＳＲとして、センシング基準電極線４０ＫＲの周期性が十分に崩れた電極線形状が得られる。一方、長さｄｂおよび高さｄｈが上記上限値以下であれば、センシング電極線６４ＳＲが過度に不規則な屈曲線形状を有することが抑えられる。
【０１６４】
同様に、第２実施形態のドライブ電極線は、第１実施形態のドライブ電極線６１ＤＲに対し、隣接する他のドライブ電極線６１ＤＲと接続している屈曲部６１Ｑ以外の屈曲部６１Ｑの位置を、第２電極方向Ｄ２に沿って不規則に変位させた形状を有する。
【０１６５】
すなわち、第２実施形態のドライブ電極線が有する屈曲部のうち、隣接する他のドライブ電極線と接続している屈曲部は、第１実施形態と同様に、ドライブ基準電極線４１ＫＲにおける基準屈曲部４１Ｑに対して第１電極方向Ｄ１に沿って変位した位置に配置される。一方、第２実施形態のドライブ電極線が有する屈曲部のうち、隣接する他のドライブ電極線と接続していない屈曲部は、ドライブ基準電極線４１ＫＲにおける基準屈曲部４１Ｑに対して第１電極方向Ｄ１および第２電極方向Ｄ２の各々に沿って変位した位置に配置される。結果として、１つのドライブ電極線は、１つのドライブ基準電極線４１ＫＲに対して、各基準屈曲部４１Ｑの位置を、基準屈曲部４１Ｑの並びの順序に対して不規則に変位した形状を有する。
【０１６６】
以上のように、第２実施形態におけるセンシング電極線６４ＳＲのパターンの周期性は、第１実施形態のセンシング電極線６３ＳＲのパターンの周期性よりも低い。同様に、第２実施形態におけるドライブ電極線のパターンの周期性は、第１実施形態のドライブ電極線６１ＤＲのパターンの周期性よりも低い。
【０１６７】
このように、第１実施形態と比較して、第２実施形態の電極線パターンの周期性、すなわち、第１電極方向Ｄ１および第２電極方向Ｄ２の各々における構造体の有無の周期性はより低く、それゆえ、こうした電極線パターンが用いられる場合、画素パターンと電極線パターンとのずれが、２つの周期構造のずれとしてより認識され難くなる。したがって、本実施形態の電極線パターンを表示パネル１０の画素パターンと重ね合わせた場合に、モアレが視認されることがさらに抑えられる。
【０１６８】
以上説明したように、第２実施形態によれば、第１実施形態の（１）〜（５）の効果に加えて、以下に列挙する効果を得ることができる。
（６）センシング電極線６４ＳＲの屈曲部６４Ｑのうち、他のセンシング電極線６４ＳＲと接続していない屈曲部６４Ｑは、センシング基準電極線４０ＫＲにおける基準屈曲部４０Ｑに対して第１電極方向Ｄ１および第２電極方向Ｄ２の各々に沿って変位した位置に配置される。こうした構成によれば、電極線パターンの周期性がさらに低くなるため、電極線パターンを画素パターンと重ね合わせた場合に、モアレが視認されることがさらに抑えられる。また、ドライブ電極線についても、同様の効果が得られる。
【０１６９】
そして、屈曲部６４Ｑが位置する変位領域Ｓｓは、互いに隣り合うセンシング基準電極線４０ＫＲの間の中央に位置して第１電極方向Ｄ１に延びる底辺Ｂｋを有する二等辺三角形状を有し、基準屈曲部４０Ｑを通って第２電極方向Ｄ２に延びる仮想的な直線が二等辺三角形の頂点と底辺Ｂｋの中点とを通る位置に配置される。上記二等辺三角形の高さｄｈは、基準間隔ＫＰｓの０．０５倍以上０．４５倍以下であり、底辺Ｂｋの長さｄｂは、基準周期ＫＷｓの０．１倍以上０．９倍以下である。こうした構成によれば、変位領域Ｓｓの高さｄｈおよび底辺Ｂｋの長さｄｂが上記下限値以上であることによって、センシング電極線６４ＳＲの形状として、センシング基準電極線４０ＫＲの周期性が十分に崩れた形状が得られる。一方、変位領域Ｓｓの高さｄｈおよび底辺Ｂｋの長さｄｂが上記上限値以下であることによって、センシング電極線６４ＳＲが過度に不規則な屈曲線形状を有することが抑えられるため、電極線パターンにおいて電極線の配置の密度が過度に不均一になることが抑えられる。
【０１７０】
（変形例）
上記各実施形態は、以下のように変更して実施することが可能である。
・１つのセンシング電極３３ＳＰ内において、センシング電極線６３ＳＲ，６４ＳＲは、第２電極方向Ｄ２の両側で、隣り合う他のセンシング電極線６３ＳＲ，６４ＳＲと屈曲部６３Ｑ，６４Ｑにて接続していてもよい。あるいは、センシング電極線６３ＳＲ，６４ＳＲは、第２電極方向Ｄ２の一方側のみで、隣り合う他のセンシング電極線６３ＳＲ，６４ＳＲと屈曲部６３Ｑ，６４Ｑにて接続していてもよい。さらに、センシング電極３３ＳＰは、他のセンシング電極線６３ＳＲ，６４ＳＲと接続していないセンシング電極線６３ＳＲ，６４ＳＲを含んでいてもよいし、センシング電極３３ＳＰはセンシング電極線６３ＳＲ，６４ＳＲの接続箇所を有していなくてもよい。同様に、１つのドライブ電極３１ＤＰ内において、ドライブ電極線は、第１電極方向Ｄ１の少なくとも一方側で、隣り合う他のドライブ電極線と屈曲部にて接続していればよい。そして、ドライブ電極３１ＤＰは、他のドライブ電極線と接続していないドライブ電極線を含んでいてもよいし、ドライブ電極３１ＤＰはドライブ電極線の接続箇所を有していなくてもよい。
【０１７１】
第１実施形態においてセンシング電極３３ＳＰがセンシング電極線６３ＳＲの接続箇所を有していない場合、第２電極方向Ｄ２に沿って互いに隣り合うセンシング電極線６３ＳＲにおいて、第２電極方向Ｄ２に並ぶ部分の位相は、逆位相に限らず、互いに異なっていればよい。互いに隣り合うセンシング電極線６３ＳＲの位相が反転していなくとも、位相がずれている構成であれば、同一の方向に延びる短線部が、第２電極方向Ｄ２に沿って揃って並ぶことは抑えられ、短線部の延びる方向が互いに異なる２種類の帯状の領域が隙間なく第１電極方向Ｄ１に沿って交互に並ぶことは起こらない。したがって、図１８に示した従来の構成、すなわち、互いに隣り合うセンシング電極線の位相が一致している構成と比較して、帯状のパターンが視認されることは抑えられる。同様に、第１電極方向Ｄ１に沿って互いに隣り合うドライブ電極線６１ＤＲにおいて、第１電極方向Ｄ１に並ぶ部分の位相は、逆位相に限らず、互いに異なっていればよい。
【０１７２】
また同様に、第２電極方向Ｄ２に沿って互いに隣り合うセンシング基準電極線４０ＫＲにおいて、第２電極方向Ｄ２に並ぶ部分の位相は、逆位相に限らず、互いに異なっていればよく、ドライブ基準電極線４１ＫＲも、位相のずれた状態で第１電極方向Ｄ１に並んでいればよい。
【０１７３】
・上記各実施形態では、センシング電極線６３ＳＲ，６４ＳＲの屈曲部６３Ｑ，６４Ｑおよびドライブ電極線６１ＤＲの屈曲部６１Ｑは、直線形状の短線部を繋ぐ点状の部分である。これに限らず、屈曲部は、電極の延びる方向に互いに隣り合う短線部、すなわち、互いに異なる傾きを有する２つの短線部を曲線状に繋ぐ部分であってもよいし、直線状もしくは折れ線状に繋ぐ部分であってもよい。すなわち、センシング電極線やドライブ電極線は、屈曲部とそれに繋がる短線部の端部とによって、山部もしくは谷部が形成され、山部と谷部とが交互に位置する屈曲線形状を有していればよい。屈曲部の中心長Ｉｓ，Ｉｄおよび変位長ＫＩｓ，ＫＩｄは、屈曲部のなかで中心線Ｃ１，Ｃ２もしくは基準中心線Ｋ１，Ｋ２と最も離れた部分とこれらの線との間の長さである。
【０１７４】
なお、曲線形状や直線形状や折れ線形状の屈曲部を有する電極線の形状は、例えば、基準電極線の基準屈曲部に対して変位した点状の屈曲部の付近を、短線部を繋ぐ曲線形状や直線形状や折れ線形状の部分に置き換えることによって得られる。
【０１７５】
・センシング電極線およびドライブ電極線の各々において、複数の屈曲部には、中心長Ｉｓ，Ｉｄが互いに異なる複数の屈曲部が含まれていればよい。例えば、複数の屈曲部は、中心長Ｉｓ，Ｉｄが互いに異なる２種類の屈曲部から構成されていてもよい。この場合、複数の屈曲部において、対象長Ｇｓ，Ｇｄに対する中心長Ｉｓ，Ｉｄの比は、０．７５を超え１．０未満の範囲に含まれる所定の値と１．０とのうちのいずれかとなる。
【０１７６】
・センシング電極線６３ＳＲ，６４ＳＲにおいて、対象長Ｇｓに対する中心長Ｉｓの比は、センシング電極線６３ＳＲ，６４ＳＲに沿った屈曲部６３Ｑ，６４Ｑの並びの順序に対して不規則であってもよいし、第２電極方向Ｄ２の一方側にて、屈曲部６３Ｑ，６４Ｑの並びの順序に対して不規則であってもよい。すなわち、センシング電極線６３ＳＲ，６４ＳＲは、センシング基準電極線４０ＫＲにおける第１仮想屈曲部と第２仮想屈曲部との一方のみが、不規則に変位した形状を有していてもよい。同様に、ドライブ電極線において、対象長Ｇｄに対する中心長Ｉｄの比は、ドライブ電極線に沿った屈曲部の並びの順序に対して不規則であってもよいし、第１電極方向Ｄ１の一方側にて、屈曲部の並びの順序に対して不規則であってもよい。
【０１７７】
・第２実施形態において、隣接する他のセンシング電極線６４ＳＲと接続している屈曲部６４Ｑも、他の屈曲部６４Ｑと同様に、センシング基準電極線４０ＫＲにおける基準屈曲部４０Ｑに対して第１電極方向Ｄ１および第２電極方向Ｄ２の各々に沿って変位した位置に配置されてもよい。同様に、隣接する他のドライブ電極線と接続している屈曲部も、ドライブ基準電極線４１ＫＲにおける基準屈曲部４１Ｑに対して第１電極方向Ｄ１および第２電極方向Ｄ２の各々に沿って変位した位置に配置されてもよい。
【０１７８】
・第１実施形態および第２実施形態においては、センシング電極線およびドライブ電極線の各々のパターンを、規則的に屈曲する屈曲線形状を有する基準電極線のパターンから作成したが、第１実施形態および第２実施形態に示した形状的特徴を有するセンシング電極線およびドライブ電極線の各々のパターンであれば、その作成方法は限定されない。
【０１７９】
・複数のセンシング電極線から構成されるパターンと、複数のドライブ電極線から構成されるパターンとのいずれか一方のみが、第１実施形態もしくは第２実施形態にて説明したパターンであってもよい。こうした構成によっても、複数のセンシング電極線から構成されるパターンと、複数のドライブ電極線から構成されるパターンの双方において、並列された電極線の位相が揃っている構成と比較して、帯状のパターンが視認されることを抑える効果は得られる。また、センシング電極とドライブ電極との各々は、第１実施形態や第２実施形態の形状の電極線に加えて、第１実施形態や第２実施形態の形状とは異なる形状の電極線を含んでいてもよい。また、センシング電極線とドライブ電極線との各々は、少なくとも帯状のパターンが視認されることを抑制したい領域、例えば、操作面２０Ｓから見た中央の領域等に配置される部分において、第１実施形態や第２実施形態の形状を有していればよい。また、複数のセンシング電極線からなるパターンは、このパターンに含まれる一部の領域のパターンが第１電極方向Ｄ１や第２電極方向Ｄ２に沿って繰り返されるパターンであってもよい。同様に、複数のドライブ電極線からなるパターンは、このパターンに含まれる一部の領域のパターンが第１電極方向Ｄ１や第２電極方向Ｄ２に沿って繰り返されるパターンであってもよい。この場合、上記一部の領域、すなわち、繰り返しの単位領域に含まれる部分が第１電極線もしくは第２電極線である。
【０１８０】
・センシング電極線とドライブ電極線との重ね合わせに際して、センシング電極線の延びる方向である第１電極方向Ｄ１とドライブ電極線の延びる方向である第２電極方向Ｄ２とは直交していなくてもよく、これらの方向は交差していればよい。すなわち、一方の電極線の延びる方向である第１方向と、他方の電極線の延びる方向である第２方向とは、直交していなくてもよい。なお、第１方向と第２方向とが直交する構成では、センシング電極線とドライブ電極線とが重ね合わされた電極線パターンが容易に得られ、また、導電性フィルム２１の製造に際して、センシング電極線とドライブ電極線との位置合わせが容易である。
【０１８１】
また、センシング電極線の延びる方向とセンシング電極線の並ぶ方向とは、互いに直交していなくてもよく、これらの方向は交差していればよい。同様に、ドライブ電極線の延びる方向とドライブ電極線の並ぶ方向とは、互いに直交していなくてもよく、これらの方向は交差していればよい。すなわち、一方の電極線の延びる方向である第１方向と、一方の電極線の並ぶ方向である第１交差方向とは互いに交差する方向であればよく、他方の電極線の延びる方向である第２方向と、他方の電極線の並ぶ方向である第２交差方向とは、互いに交差する方向であればよい。
【０１８２】
また、上記実施形態では、第１方向と第２交差方向とは同一の方向であり、第２方向と第１交差方向とは同一の方向であるが、これらの方向のすべてが互いに異なる方向であってもよい。
【０１８３】
・図１６が示すように、タッチパネル２０を構成する導電性フィルム２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１８４】
なお、上記各実施形態のように、センシング電極３３ＳＰとドライブ電極３１ＤＰとが互いに異なる基材上に形成されている構成では、１つの基材の両面に電極線が形成されている構成と比較して、電極線の形成が容易である。
【０１８５】
・図１７が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１８６】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１８７】
・表示パネル１０とタッチパネル２０とは、個別に形成されていなくともよく、タッチパネル２０は、表示パネル１０と一体に形成されてもよい。こうした構成では、例えば、導電性フィルム２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、導電性フィルム２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０１８８】
Ｃ１，Ｃ２…中心線、Ｄ１…第１電極方向、Ｄ２…第２電極方向、Ｇｓ，Ｇｄ…対象長、Ｉｓ，Ｉｄ…中心長、Ｋ１，Ｋ２…基準中心線、ＫＧｓ，ＫＧｄ…基準長、ＫＨｓ，ＫＨｄ…基準幅、ＫＩｓ，ＫＩｄ…変位長、ＫＰｓ，ＫＰｄ…基準間隔、ＫＷｓ，ＫＷｄ…基準周期、Ｋαｓ，Ｋαｄ…基準角度、ＮＤ…容量検出部、Ｓｓ…変位領域、Ｗｓ，Ｗｄ…屈曲周期、１０…表示パネル、１１…下側偏光板、１２…薄膜トランジスタ基板、１３…ＴＦＴ層、１４…液晶層、１５…カラーフィルタ層、１５Ｐ…画素、１６…カラーフィルタ基板、１７…上側偏光板、２０…タッチパネル、２１…導電性フィルム、２２…カバー層、２３…透明接着層、３１…透明基板、３１Ｓ…ドライブ電極面、３１ＤＰ…ドライブ電極、３３…透明誘電体基板、３３Ｓ…センシング電極面、３３ＳＰ…センシング電極、３４…選択回路、３５…検出回路、３６…制御部、４０ＫＲ…センシング基準電極線、４０Ｅ…基準短線部、４０Ｑ…基準屈曲部、４１ＫＲ…ドライブ基準電極線、４１Ｅ…基準短線部、４１Ｑ…基準屈曲部、６１ＤＲ…ドライブ電極線、６１Ｅ…短線部、６１Ｑ…屈曲部、６３ＳＲ，６４ＳＲ…センシング電極線、６３Ｅ…短線部、６３Ｑ，６４Ｑ…屈曲部、１００…表示装置。
【図１】
2018195021.tif 000003
【図２】
2018195021.tif 000004
【図３】
2018195021.tif 000005
【図４】
2018195021.tif 000006
【図５】
2018195021.tif 000007
【図６】
2018195021.tif 000008
【図７】
2018195021.tif 000009
【図８】
2018195021.tif 000010
【図９】
2018195021.tif 000011
【図１０】
2018195021.tif 000012
【図１１】
2018195021.tif 000013
【図１２】
2018195021.tif 000014
【図１３】
2018195021.tif 000015
【図１４】
2018195021.tif 000016
【図１５】
2018195021.tif 000017
【図１６】
2018195021.tif 000018
【図１７】
2018195021.tif 000019
【図１８】
2018195021.tif 000020